(57)【要約】  本開示のある態様は、即時応答を可能にするための方法と装置を提供する。この仕方では、フレームの最後のシンボルによって搬送されたデータが、即時応答を生成するための期限内に受信機によって完全には復号されることができない場合、問題は避けられることができる。第１の装置によるワイヤレス通信のための１つの例となる方法は、一般に、第２の装置と通信するための少なくとも１つの制約を決定することと、応答を請求するフレームを生成することと、第２の装置への送信のためのフレームを出力することとを含み、ここで、フレームの少なくとも最後のシンボルは、決定された期間内に第２の装置が応答を送信することを可能にする制約によって決定された仕方で送信される。【選択図】  図４
2018506202.tif 000002
【特許請求の範囲】
【請求項１】
第１の装置によるワイヤレス通信のための方法であって、
第２の装置と通信するための少なくとも１つの制約を決定することと、
応答を請求するフレームを生成することと、
前記第２の装置への送信のための前記フレームを出力することとを備え、ここで、前記フレームの少なくとも最後のシンボルは、決定された期間内に前記第２の装置が前記応答を送信することを可能にする前記少なくとも１つの制約によって決定された仕方で送信される、方法。
【請求項２】
前記決定された期間は、ショートインターフレーム間隔（ＳＩＦＳ）を備える、請求項１に記載の方法。
【請求項３】
前記少なくとも１つの制約を決定することは、前記第２の装置から前記少なくとも１つの制約のインジケーションを受信することを備える、請求項１に記載の方法。
【請求項４】
前記少なくとも１つの制約は、レート制限を備える、請求項１に記載の方法。
【請求項５】
前記フレームは、前記レート制限より小さいまたは等しいレートで送信される、請求項４に記載の方法。
【請求項６】
前記フレームを生成することは、
前記フレームが前記レート制限より大きいレートで送信される場合、前記少なくとも前記最後のシンボルにおいてパディングを使用することと、
前記フレームのヘッダにおいて、前記少なくとも前記最後のシンボルにおける前記パディングの存在または持続時間のうちの少なくとも１つを示すこととを備える、請求項４に記載の方法。
【請求項７】
前記フレームの前記少なくとも前記最後のシンボルは、前記レート制限より小さいまたは等しいレートで送信される、請求項４に記載の方法。
【請求項８】
前記少なくとも前記最後のシンボルの変調及びコーディングスキーム（ＭＣＳ）は、
前記フレームのデータ部分のＭＣＳが前記レート制限より小さいデータレートに対応する場合、前記データ部分の前記ＭＣＳに、または、
前記データ部分の前記ＭＣＳが前記レート制限より大きいまたは等しいデータレートに対応する場合、前記レート制限に対応するＭＣＳに
等しくなるように設定される、請求項７に記載の方法。
【請求項９】
前記レート制限は、
物理レイヤ（ＰＨＹ）レート、または、
変調及びコーディングスキーム（ＭＣＳ）、帯域幅、コーディングレート、空間ストリームの数、または、それらの組み合わせ
として表される、請求項４に記載の方法。
【請求項１０】
前記レート制限は、前記決定された期間内に前記第２の装置が復調及び処理することができるバイト数に基づく、請求項４に記載の方法。
【請求項１１】
前記フレームの前記少なくとも前記最後のシンボルは、前記レート制限より大きいレートで送信され、ここで、
前記第２の装置が前記最後のシンボルにおける前記応答を生成するのに必要なバイト数は、前記決定された期間内に前記第２の装置が復調及び処理することができる前記バイト数より少ないもしくは等しい、または、
前記第２の装置が前記応答を生成するのに必要な情報は、前記決定された期間内に前記第２の装置が復調及び処理することができる前記バイト数より少ないまたは等しいバイト数を有する前記最後のシンボルの早い部分に制限される、請求項１０に記載の方法。
【請求項１２】
ワイヤレス通信のための第１の装置であって、
第２の装置と通信するための少なくとも１つの制約を決定し、
応答を請求するフレームを生成し、
前記第２の装置への送信のための前記フレームを出力するように構成された処理システムを備え、ここで、前記フレームの少なくとも最後のシンボルは、決定された期間内に前記第２の装置が前記応答を送信することを可能にするために、前記少なくとも１つの制約によって決定された仕方で送信される、第１の装置。
【請求項１３】
前記処理システムは、前記第２の装置から前記少なくとも１つの制約のインジケーションを受信することによって、前記少なくとも１つの制約を決定するように構成される、請求項１２に記載の第１の装置。
【請求項１４】
前記少なくとも１つの制約は、レート制限を備える、請求項１２に記載の第１の装置。
【請求項１５】
前記処理システムは、
前記フレームが前記レート制限より大きいレートで送信される場合、前記少なくとも前記最後のシンボルにおいてパディングを使用することと、
前記フレームのヘッダにおいて、前記少なくとも前記最後のシンボルにおける前記パディングの存在または持続時間のうちの少なくとも１つを示すこととによって、前記フレームを生成するように構成される、請求項１４に記載の第１の装置。
【請求項１６】
前記フレームの前記少なくとも前記最後のシンボルは、前記レート制限より小さいまたは等しいレートで送信され、前記少なくとも前記最後のシンボルの変調及びコーディングスキーム（ＭＣＳ）は、
前記フレームのデータ部分のＭＣＳが前記レート制限より小さいデータレートに対応する場合、前記データ部分の前記ＭＣＳに、または、
前記データ部分の前記ＭＣＳが前記レート制限より大きい、または等しいデータレートに対応する場合、前記レート制限に対応するＭＣＳに
等しくなるように設定される、請求項１４に記載の第１の装置。
【請求項１７】
前記レート制限は、
物理レイヤ（ＰＨＹ）レート、または、
変調及びコーディングスキーム（ＭＣＳ）、帯域幅、コーディングレート、空間ストリームの数、または、それらの組み合わせ
として表される、請求項１４に記載の第１の装置。
【請求項１８】
前記レート制限は、前記決定された期間内に前記第２の装置が復調及び処理することができるバイト数に基づき、前記フレームの前記少なくとも前記最後のシンボルは、前記レート制限より大きいレートで送信され、
前記第２の装置が前記最後のシンボルにおいて前記応答を生成するのに必要なバイト数は、前記決定された期間内に前記第２の装置が復調及び処理することができるバイト数より少ないもしくは等しい、または、
前記第２の装置が前記応答を生成するのに必要な情報は、前記決定された期間内に前記第２の装置が復調及び処理することができる前記バイト数より少ないまたは等しいバイト数を有する前記最後のシンボルの早い部分に制限される、請求項１４に記載の第１の装置。
【請求項１９】
第１の装置によるワイヤレス通信のための方法であって、
決定された期間内に応答を請求するフレームを生成することと、ここで、前記フレームは、
１つまたは複数のシンボルを有する第１の部分と、
前記フレームにおいて前記第１の部分の後に位置付けられ、複数のシンボルを有する第２の部分とを備え、
前記第２の部分における前記複数のシンボルについてのデータレートより大きくなるように、前記第１の部分における前記１つまたは複数のシンボルについてのデータレートを設定することと、
第２の装置への送信のための前記フレームを出力することと
を備える方法。
【請求項２０】
前記第２の部分は、前記フレームの最後の部分である、請求項１９に記載の方法。
【請求項２１】
前記第１の部分における前記１つまたは複数のシンボルについての前記データレートは、前記第２の部分における前記複数のシンボルについての前記データレートより少なくとも４倍大きい、請求項１９に記載の方法。
【請求項２２】
前記決定された期間は、ショートインターフレーム間隔（ＳＩＦＳ）を備える、請求項１９に記載の方法。
【請求項２３】
前記フレームを生成することは、前記フレームのヘッダにおいて、前記第２の部分における前記複数のシンボルの存在または数のうちの少なくとも１つを示すことを備える、請求項１９に記載の方法。
【請求項２４】
前記第２の部分は、前記第２の装置が前記応答を生成するのに必要な情報の少なくとも一部を備える、請求項１９に記載の方法。
【請求項２５】
ワイヤレス通信のための第１の装置であって、
決定された期間内に応答を請求するフレームを生成し、ここで、前記フレームは、
１つまたは複数のシンボルを有する第１の部分と、
前記フレームにおいて前記第１の部分の後に位置付けられ、複数のシンボルを有する第２の部分とを備え、
前記第２の部分における前記複数のシンボルについてのデータレートより大きくなるように、前記第１の部分における前記１つまたは複数のシンボルについてのデータレートを設定し、
第２の装置への送信のための前記フレームを出力するように構成された処理システムを備える、第１の装置。
【請求項２６】
前記第２の部分は、前記フレームの最後の部分である、請求項２５に記載の第１の装置。
【請求項２７】
前記第１の部分における前記１つまたは複数のシンボルについての前記データレートは、前記第２の部分における前記複数のシンボルについての前記データレートより少なくとも４倍大きい、請求項２５に記載の第１の装置。
【請求項２８】
前記決定された期間は、ショートインターフレーム間隔（ＳＩＦＳ）を備える、請求項２５に記載の第１の装置。
【請求項２９】
前記処理システムは、前記フレームのヘッダにおいて、前記第２の部分における前記複数のシンボルの存在または数のうちの少なくとも１つを示すことによって前記フレームを生成するように構成される、請求項２５に記載の第１の装置。
【請求項３０】
前記第２の部分は、前記第２の装置が前記応答を生成するのに必要な情報の少なくとも一部を備える、請求項２５に記載の第１の装置。
【発明の詳細な説明】
【合衆国法典第３５編第１１９条の下での優先権の主張】
【０００１】
[0001]本願は、２０１４年１２月１９日に出願された「TRANSMISSION TECHNIQUES FOR ENABLING AN IMMEDIATE RESPONSE」と題する米国仮特許出願第６２／０９４，９２９号の利益を主張する、２０１５年１２月１７日に出願された米国特許出願第１４／９７３，３３５号の優先権を主張し、両出願とも本願の譲受人に譲渡され、その全体がここに参照によって明確に組み込まれる。
【技術分野】
【０００２】
[0002]本開示のある態様は、一般に、ワイヤレス通信に関し、特に、即時応答を可能にするための送信技法に関する。
【背景技術】
【０００３】
[0003]ワイヤレス通信ネットワークは、音声、ビデオ、パケットデータ、メッセージング、ブロードキャスト等のような様々な通信サービスを提供するために広く展開されている。これらのワイヤレスネットワークは、利用可能なネットワークリソースを共有することによって複数のユーザをサポートすることができる多元接続ネットワークであり得る。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、及び単一キャリアＦＤＭＡ（ＳＣ−ＦＤＭＡ）ネットワークを含む。
【０００４】
[0004]ワイヤレス通信システムに対して求められる増加する帯域幅要件の問題に対処するために、異なるスキームが開発されている。以前、このようなスキームにより、複数のユーザ端末が、高いデータスループットを達成しつつ、チャネルリソースを共有することによって、単一のアクセスポイントと通信することを可能にする。多入力多出力（ＭＩＭＯ）技術は、通信システムのための普及している技法として出現してきた、１つのこのようなアプローチを表す。ＭＩＭＯ技術は、米国電気電子学会（ＩＥＥＥ）８０２．１１規格のような、いくつかのワイヤレス通信規格に採用されてきた。ＩＥＥＥ８０２．１１は、短距離通信（例えば、数十メートルから数百メートルまで）用に、ＩＥＥＥ８０２．１１委員会によって開発された、ワイヤレスローカルエリアネットワーク（ＷＬＡＮ）のエアインターフェース規格のセットを示す。より大きなスループットを達成するための別のスキームは、ＩＥＥＥ８０２．１１ａｘ特別委員会によって開発されているＨＥＷ（高効率ＷｉＦｉまたは高効率ＷＬＡＮ）である。このスキームの目的は、ＩＥＥＥ８０２．１１ａｃのものの４倍のスループットを達成することである。
【発明の概要】
【０００５】
[0005]本開示のシステム、方法、及びデバイスは、いくつかの態様を各々有し、これらのうちのいずれも、その所望の属性を単独で担うものではない。後に続く特許請求の範囲によって表される本開示の範囲を制限することなしに、ここでいくつかの特徴が簡潔に論述される。この考察を検討した後、特に「詳細な説明」と題されたセクションを読んだ後、当業者は、本開示の特徴が、ワイヤレスネットワークにおける改善された通信を含む利点をどのように提供するかを理解するであろう。
【０００６】
[0006]本開示のある態様は、一般に、即時応答を可能にするための送信技法に関する。ここで使用される場合、用語「即時応答」は、一般に、定義された時間期間内に、定義された時間期間の終わりに、または定義された時間期間の直後に要求（フレーム）に応答して送信される応答フレームを指す。
【０００７】
[0007]本開示のある態様は、第１の装置によるワイヤレス通信のための方法を提供する。方法は、一般に、第２の装置と通信するための少なくとも１つの制約を決定することと、応答を請求する（solicit）フレームを生成することと、第２の装置への送信のためのフレームを出力することとを含み、ここで、フレームの少なくとも最後のシンボルは、決定された期間内に第２の装置が応答を送信することを可能にする制約によって決定された仕方で送信される。
【０００８】
[0008]本開示のある態様は、ワイヤレス通信のための第１の装置を提供する。第１の装置は、一般に、第２の装置と通信するための少なくとも１つの制約を決定し、応答を請求するフレームを生成し、第２の装置への送信のためのフレームを出力するように構成された処理システムを含み、ここで、フレームの少なくとも最後のシンボルは、決定された期間内に第２の装置が応答を送信することを可能にする制約によって決定された仕方で送信される。
【０００９】
[0009]本開示のある態様は、ワイヤレス通信のための第１の装置を提供する。第１の装置は、一般に、第２の装置と通信するための少なくとも１つの制約を決定するための手段と、応答を請求するフレームを生成するための手段と、第２の装置への送信のためのフレームを出力するための手段とを含み、ここで、フレームの少なくとも最後のシンボルは、決定された期間内に第２の装置が応答を送信することを可能にする制約によって決定された仕方で送信される。
【００１０】
[0010]本開示のある態様は、ワイヤレス通信のための非一時的コンピュータ読取可能な媒体を提供する。媒体は、第１の装置において第２の装置と通信するための少なくとも１つの制約を決定し、応答を請求するフレームを生成し、第２の装置への送信のためのフレームを出力するように（コンピュータプロセッサ等の装置によって）実行可能な記憶された命令を有し、ここで、フレームの少なくとも最後のシンボルは、決定された期間内に第２の装置が応答を送信することを可能にする制約によって決定された仕方で送信される。
【００１１】
[0011]本開示のある態様は、ワイヤレスノードを提供する。ワイヤレスノードは、一般に、処理システム、送信機、少なくとも１つのアンテナを含む。処理システムは、装置と通信するための少なくとも１つの制約を決定し、応答を請求するフレームを生成するように構成される。送信機は、少なくとも１つのアンテナを介してフレームを装置に送信するように構成され、ここで、フレームの少なくとも最後のシンボルは、装置が決定された期間内に応答を送信することを可能にする制約によって決定された仕方で送信される。
【００１２】
[0012]本開示のある態様は、第１の装置によるワイヤレス通信のための方法を提供する。方法は、一般に、決定された期間内に応答を請求するフレームを生成することと、ここで、フレームは、１つまたは複数のシンボル（例えば、直交周波数分割多重（orthogonal frequency division multiplexing）（ＯＦＤＭ）シンボル）を有する第１の部分と、第１の部分の後に位置付けられ、複数のシンボルを有する第２の部分とを備え、第２の部分における複数のシンボルについてのデータレートより大きくなるように（例えば、少なくとも４倍大きい）、第１の部分における１つまたは複数のシンボルについてのデータレートを設定することと、第２の装置への送信のためのフレームを出力することとを含む。
【００１３】
[0013]本開示のある態様は、ワイヤレス通信のための第１の装置を提供する。第１の装置は、一般に、決定された期間内に応答を請求するフレームを生成し、ここで、フレームは、１つまたは複数のシンボルを有する第１の部分と、フレームにおいて第１の部分の後に位置付けられ、複数のシンボルを有する第２の部分とを備え、第２の部分における複数のシンボルについてのデータレートより大きくなるように、第１の部分における１つまたは複数のシンボルについてのデータレートを設定し、第２の装置への送信のためのフレームを出力するように構成された処理システムを含む。
【００１４】
[0014]本開示のある態様は、ワイヤレス通信のための第１の装置を提供する。第１の装置は、一般に、決定された期間内に応答を請求するフレームを生成するための手段と、ここで、フレームは、１つまたは複数のシンボルを有する第１の部分と、フレームにおいて第１の部分の後に位置付けられ、複数のシンボルを有する第２の部分とを備え、第２の部分における複数のシンボルについてのデータレートより大きくなるように、第１の部分における１つまたは複数のシンボルについてのデータレートを設定するための手段と、第２の装置への送信のためのフレームを出力するための手段とを含む。
【００１５】
[0015]本開示のある態様は、ワイヤレス通信のための非一時的コンピュータ読取可能な媒体を提供する。媒体は、第１の装置において、決定された期間内に応答を請求するフレームを生成し、ここで、フレームは、１つまたは複数のシンボルを有する第１の部分と、フレームにおいて第１の部分の後に位置付けられ、複数のシンボルを有する第２の部分とを備え、第２の部分における複数のシンボルについてのデータレートより大きくなるように、第１の部分における１つまたは複数のシンボルについてのデータレートを設定し、第２の装置への送信のためのフレームを出力するように（コンピュータプロセッサ等の装置によって）実行可能な記憶された命令を有する。
【００１６】
[0016]本開示のある態様は、ワイヤレスノードを提供する。ワイヤレスノードは、一般に、処理システム、送信機、少なくとも１つのアンテナを含む。処理システムは、典型的に、決定された期間内に応答を請求するフレームを生成し、ここで、フレームは、１つまたは複数のシンボルを有する第１の部分と、フレームにおいて第１の部分の後に位置付けられ、複数のシンボルを有する第２の部分とを備え、第２の部分における複数のシンボルについてのデータレートより大きくなるように、第１の部分における１つまたは複数のシンボルについてのデータレートを設定するように構成される。送信機は、典型的に、少なくとも１つのアンテナを介して装置にフレームを送信するように構成される。
【００１７】
[0017]本開示のある態様は、第１の装置によるワイヤレス通信のための方法を提供する。方法は、一般に、決定された期間内に応答を請求するフレームを生成することと、ここで、フレームは、複数のシンボルを備え、生成することは、フレームの最後のシンボルに先行するフレームのシンボルに、第２の装置が応答を生成するのに必要な情報を置くことと、第２の装置が応答を生成するのに必要な情報が、フレームの最後のシンボルに含まれるのを阻止することとを備え、第２の装置への送信のためのフレームを出力することとを含む。
【００１８】
[0018]本開示のある態様は、ワイヤレス通信のための第１の装置を提供する。第１の装置は、一般に、決定された期間内に応答を請求するフレームを生成し、ここで、フレームは、複数のシンボルを備え、処理システムは、フレームの最後のシンボルに先行するフレームのシンボルに、第２の装置が応答を生成するのに必要な情報を置くことによって、及び第２の装置が応答を生成するのに必要な情報が、フレームの最後のシンボルに含まれるのを阻止することによってフレームを生成するように構成され、第２の装置への送信のためのフレームを出力するように構成された処理システムを含む。
【００１９】
[0019]本開示のある態様は、ワイヤレス通信のための第１の装置を提供する。第１の装置は、一般に、決定された期間内に応答を請求するフレームを生成するための手段と、ここで、フレームは、複数のシンボルを備え、生成するための手段は、フレームの最後のシンボルに先行するフレームのシンボルに、第２の装置が応答を生成するのに必要な情報を置くことによって、及び第２の装置が応答を生成するのに必要な情報が、フレームの最後のシンボルに含まれるのを阻止することによって、フレームを生成するように構成され、第２の装置への送信のためのフレームを出力するための手段とを含む。
【００２０】
[0020]本開示のある態様は、ワイヤレス通信のための非一時的コンピュータ読取可能な媒体を提供する。媒体は、第１の装置において、決定された期間内に応答を請求するフレームを生成し、ここで、フレームは、複数のシンボルを備え、生成することは、フレームの最後のシンボルに先行するフレームのシンボルに、第２の装置が応答を生成するのに必要な情報を置くことと、第２の装置が応答を生成するのに必要な情報が、フレームの最後のシンボルに含まれるのを阻止することとを備え、第２の装置への送信のためのフレームを出力するように（処理システム等の装置によって）実行可能な記憶された命令を有する。
【００２１】
[0021]本開示のある態様は、ワイヤレスノードを提供する。ワイヤレスノードは、一般に、処理システム、受信機、少なくとも１つのアンテナを含む。処理システムは、典型的に、決定された期間内に応答を請求するフレームを生成するように構成され、ここで、フレームは、複数のシンボルを備え、処理システムは、フレームの最後のシンボルに先行するフレームのシンボルに、装置が応答を生成するのに必要な情報を置くことによって、及び装置が応答を生成するのに必要な情報が、フレームの最後のシンボルに含まれるのを阻止することによってフレームを生成するように構成される。送信機は、典型的に、少なくとも１つのアンテナを介して装置にフレームを送信するように構成される。
【００２２】
[0022]前述の目的及び関連する目的の達成のために、１つまたは複数の態様が、以下に十分に説明され、及び特許請求の範囲において特に示される特徴を備える。下記の説明及び添付図面は、１つまたは複数の態様のある例示的な特徴を詳細に説明する。しかしながら、これらの特徴は、様々な態様の原理が用いられ得る様々な方法のほんの一部を示すものであり、この説明は、そのような全ての態様及びそれらの同等物を含むことを意図される。
【図面の簡単な説明】
【００２３】
【図１】[0023]本開示のある態様に従った、例となるワイヤレス通信ネットワークを例示する。
【図２】[0024]本開示のある態様に従った、例となるアクセスポイント（ＡＰ）及びユーザ端末のブロック図である。
【図３】[0025]本開示のある態様に従った、例となるワイヤレスデバイスのブロック図である。
【図４】[0026]本開示のある態様に従った、フレームに追加されたパディングを例示する。
【図５】[0027]本開示のある態様に従った、分割されたトリガ部分を有するフレームを例示する。
【図６】[0028]本開示のある態様に従った、データ部分が後に続くトリガ部分を有するフレームを例示する。
【図７】[0029]本開示のある態様に従った、例となるパッド物理レイヤコンバージェンスプロトコル（ＰＬＣＰ）プロトコルデータユニット（ＰＰＤＵ）を例示する。
【図８】[0030]本開示のある態様に従った、制約に基づいて、応答を請求するフレームを送信のために出力するための例となる動作のフロー図である。
【図８Ａ】[0031]図８に示した動作を実行することができる例となる手段を例示する。
【図９】[0032]本開示のある態様に従った、応答を請求し、異なるデータレートを有する少なくとも２つの部分を有するフレームを送信のために出力するための例となる動作のフロー図である。
【図９Ａ】[0033]図９に示した動作を実行することができる例となる手段を例示する。
【図１０】[0034]本開示のある態様に従った、応答を請求し、最後のシンボルにおける情報を制限するフレームを送信のために出力するための例となる動作のフロー図である。
【図１０Ａ】[0035]図１０に示した動作を実行することができる例となる手段を例示する。
【詳細な説明】
【００２４】
[0036]理解を容易にするために、同一の参照番号が、可能な場合、図に共通する同一の要素を示すために使用されている。１つの態様において開示される要素は、明確な記載なしに他の態様に有益に利用され得ることが企図される。
【００２５】
[0037]本開示のある態様は、即時応答を可能にするための送信技法及び装置を提供する。この仕方で、フレームの最後のシンボルによって搬送されたデータが、即時応答を生成するための期限（a deadline）内に受信機によって完全には復号されることができない場合、問題は避けられることができる。
【００２６】
[0038]本開示の様々な態様は、添付の図面を参照して、以下に、より十分に説明される。しかしながら、本開示は、多くの異なる形態で具現化され得、本開示全体を通して提示される任意の特定の構成または機能に制限されるものと解釈されるべきではない。むしろ、これらの態様は、この開示を徹底的及び完全なものとし、本開示の範囲が当業者に十分に伝わるように、提供されるものである。ここにおける教示に基づき、当業者は、ここに開示された開示の任意の態様が、本開示の任意の他の態様と独立して実施されようと、それらと組み合わされて実施されようと、本開示の範囲は、それらの態様をカバーするように意図されている、ということを理解すべきである。例えば、ここに説明される任意の数の態様を使用して、装置が実施され得る、または方法が行われ得る。加えて、本開示の範囲は、ここに説明される開示の様々な態様に加えて、または、それ以外の、他の構造、機能性、または構造及び機能性を使用して行われる、そのような装置または方法をカバーするように意図されている。ここに開示された開示の任意の態様が、特許請求の範囲の１つまたは複数の要素によって具現化され得ることが理解されるべきである。
【００２７】
[0039]「実例的な」という単語は、ここでは、「例、事例、または例示としての役割を果たす」という意味で使用されている。「実例的な」としてここに説明される任意の態様は、必ずしも、他の態様より好ましいまたは有利であると解釈されるべきではない。
【００２８】
[0040]特定の態様がここに説明されるが、これらの態様の多くの変形及び置換が、本開示の範囲内に入る。好ましい態様のいくつかの利益及び利点が記述されるが、本開示の範囲は、特定の利益、使用、または目的に制限されるように意図されたものではない。むしろ、本開示の態様は、異なるワイヤレス技術、システム構成、ネットワーク、及び送信プロトコルに幅広く適用可能であるように意図されており、そのうちのいくつかは、図、及び好ましい態様の下記の説明において例として例示される。詳細な説明及び図面は、限定というよりはむしろ、単に、本開示の例示であり、本開示の範囲は、添付された特許請求の範囲及びそれらの同等物によって定義されている。
【００２９】
[0041]ここに説明される技法は、直交多重方式に基づく通信システムを含む様々なブロードバンドワイヤレス通信システムのために使用され得る。このような通信システムの例は、空間分割多元接続（ＳＤＭＡ）システム、時分割多元接続（ＴＤＭＡ）システム、直交周波数分割多元接続（ＯＦＤＭＡ）システム、単一キャリア周波数分割多元接続（ＳＣ−ＦＤＭＡ）システムを含む。ＳＤＭＡシステムは、複数のユーザ端末に属するデータを同時に送信するのに十分に異なる方向を利用し得る。ＴＤＭＡシステムは、送信信号を異なる時間スロットに分割することにより、複数のユーザ端末が、同一の周波数チャネルを共有することを可能にし得、各時間スロットは、異なるユーザ端末に割り当てられる。ＯＦＤＭＡシステムは、全システム帯域幅を複数の直交サブキャリアに区分する変調技法である、直交周波数分割多重（ＯＦＤＭ）を利用する。これらサブキャリアは、トーン、ビン、等とも呼ばれ得る。ＯＦＤＭでは、各サブキャリアはデータと共に独立して変調され得る。ＳＣ−ＦＤＭＡシステムは、システム帯域幅にわたって分散されるサブキャリア上で送信するためにインターリーブされたＦＤＭＡ（ＩＦＤＭＡ）を利用し、隣接サブキャリアの１つのブロック上で送信するためにローカライズドＦＤＭＡ（ＬＦＤＭＡ）を利用し、または隣接サブキャリアの複数のブロック上で送信するためにエンハンスドＦＤＭＡ（ＥＦＤＭＡ）を利用し得る。一般に、変調シンボルは、ＯＦＤＭでは周波数領域で及びＳＣ−ＦＤＭＡでは時間領域で送られる。
【００３０】
[0042]ここにおける教示は、様々なワイヤードまたはワイヤレス装置（例えば、ノード）に組み込まれ得る（例えば、それらの中で実施され得る、またはそれらによって実行され得る）。いくつかの態様では、ここにおける教示に従って実施されたワイヤレスノードは、アクセスポイントまたはアクセス端末を備え得る。
【００３１】
[0043]アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、ベーシックサービスセット（「ＢＳＳ」）、拡張サービスセット（「ＥＳＳ」）、無線基地局（「ＲＢＳ」）、または何らかの他の専門用語を備え得、これらとして実施され得、またはこれらとして知られ得る。
【００３２】
[0044]アクセス端末（「ＡＴ」）は、加入者局、加入者ユニット、移動局（ＭＳ）、リモート局、リモート端末、ユーザ端末（ＵＴ）、ユーザエージェント、ユーザデバイス、ユーザ機器（ＵＥ）、ユーザ局、または何らかの他の専門用語を備え得、これらとして実施され得、またはこれらとして知られ得る。いくつかの実施では、アクセス端末は、セルラ電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、局（「ＳＴＡ」）、またはワイヤレスモデムに接続された何らかの他の適切な処理デバイスを備え得る。従って、ここで教示される１つまたは複数の態様は、電話（例えば、セルラ電話またはスマートフォン）、コンピュータ（例えば、ラップトップ）、タブレット、ポータブル通信デバイス、ポータブルコンピューティングデバイス（例えば、携帯情報端末）、エンターテイメントデバイス（例えば、音楽または映像デバイス、または衛星ラジオ）、全地球測位システム（ＧＰＳ）デバイス、または、ワイヤレスもしくはワイヤード媒体を介して通信するように構成された任意の他の適切なデバイスに組み込まれ得る。いくつかの態様では、ＡＴは、ワイヤレスノードであり得る。例えば、そのようなワイヤレスノードは、ワイヤードまたはワイヤレス通信リンクを介した、ネットワーク（例えば、インターネット、またはセルラネットワークのような広域ネットワーク）のための接続、またはネットワークまでの接続を提供し得る。
【００３３】
例となるワイヤレス通信システム
[0045]図１は、本開示の態様が実行され得るワイヤレス通信システム１００を例示する。例えば、アクセスポイント１１０は、ユーザ端末１２０に、即時応答が送られることになるインジケーションを含む要求フレームの物理レイヤ（ＰＨＹ）ヘッダにおけるインジケーションを有する要求フレーム１０２（例えば、物理レイヤコンバージェンスプロトコル（ＰＬＣＰ）プロトコルデータユニット（ＰＰＤＵ））を送り得る。受け手のユーザ端末１２０は、インジケーションに基づいて、応答が送られることになることを決定し得、例えば、要求フレーム１０２の媒体アクセス制御（ＭＡＣ）のペイロードを復号する前に、即時応答１０４の少なくとも一部を生成及び送信し始め得る。
【００３４】
[0046]例えば、システム１００は、アクセスポイント１１０及びユーザ端末１２０を有する多元接続多入力多出力（ＭＩＭＯ）システムであり得る。簡潔にするために、図１には、１つのアクセスポイント１１０のみが示されている。アクセスポイント（ＡＰ）は、一般に、ユーザ端末と通信する固定局であり、基地局または何らかの他の専門用語でも呼ばれ得る。ユーザ端末は、固定または可動であり得、移動局、ワイヤレスデバイス、または何らかの他の専門用語でも呼ばれ得る。アクセスポイント１１０は、ダウンリンク及びアップリンク上で、任意の所与の瞬間に１つまたは複数のユーザ端末１２０と通信し得る。ダウンリンク（すなわち、順方向リンク）は、アクセスポイントからユーザ端末への通信リンクであり、アップリンク（すなわち、逆方向リンク）は、ユーザ端末からアクセスポイントへの通信リンクである。ユーザ端末はまた、別のユーザ端末とピアツーピアで通信し得る。
【００３５】
[0047]システムコントローラ１３０は、これらのＡＰ及び／または他のシステムのための調整及び制御を提供し得る。例えば、ＡＰは、無線周波数電力、チャネル、認証、セキュリティの調節を処理し得るシステムコントローラ１３０によって管理され得る。システムコントローラ１３０は、バックホールを介してＡＰと通信し得る。ＡＰはまた、例えば、直接的に、または、ワイヤレスまたはワイヤーラインバックホールを介して間接的に互いに通信し得る。
【００３６】
[0048]下記の開示の一部では、空間分割多元接続（ＳＤＭＡ）を介して通信することができるユーザ端末１２０を説明するが、ある態様では、ユーザ端末１２０はまた、ＳＤＭＡをサポートしないいくつかのユーザ端末を含み得る。従って、そのような態様では、アクセスポイント１１０は、ＳＤＭＡユーザ端末と非ＳＤＭＡユーザ端末の両方と通信するように構成され得る。このアプローチは、都合の良いことに、より新しいＳＤＭＡユーザ端末が適切であると判断され導入されることを可能にしながら、より古いバージョンのユーザ端末（「レガシー」局）の有効寿命を伸ばし、それらが事業展開され続けることを可能にし得る。
【００３７】
[0049]システム１００は、ダウンリンク及びアップリンクでのデータ送信のために、複数の送信アンテナ及び複数の受信アンテナを用いる。アクセスポイント１１０は、Ｎａｐ個のアンテナを装備し、ダウンリンク送信のための多入力（ＭＩ）及びアップリンク送信のための多出力（ＭＯ）を表す。Ｋ個の選択されたユーザ端末１２０のセットは、集合的に、ダウンリンク送信のための多出力及びアップリンク送信のための多入力を表す。純粋ＳＤＭＡでは、Ｋ個のユーザ端末に対するデータシンボルストリームが、何らかの手段により、コード、周波数、または、時間で多重化されていない場合に、Ｎａｐ≧Ｋ≧１を有することが望まれる。データシンボルストリームは、ＴＤＭＡ技法、ＣＤＭＡを用いた異なるコードチャネル、ＯＦＤＭを用いたサブバンドの互いに素なセット、等を使用して、多重化されることができる場合、Ｋは、Ｎａｐより大きくあり得る。各選択されたユーザ端末は、アクセスポイントにユーザ固有のデータを送信し、及び／またはアクセスポイントからユーザ固有のデータを受信する。一般に、選択された各ユーザ端末は、１つまたは複数のアンテナ（すなわち、Ｎｕｔ≧１）を装備し得る。Ｋ個の選択されたユーザ端末は、同一のまたは異なる数のアンテナを有することができる。
【００３８】
[0050]システム１００は、時分割複信（ＴＤＤ）システムまたは周波数分割複信（ＦＤＤ）システムであリ得る。ＴＤＤシステムでは、ダウンリンク及びアップリンクは、同一の周波数帯域を共有する。ＦＤＤシステムでは、ダウンリンク及びアップリンクは、異なる周波数帯域を使用する。システム１００はまた、送信のために、単一のキャリアまたは複数のキャリアを利用し得る。各ユーザ端末は、（例えば、コストを低く抑えるために）単一のアンテナを、または（例えば、追加のコストがサポートされることができる場合には）複数のアンテナを装備し得る。ユーザ端末１２０が、異なるタイムスロットに、送信／受信を分割することにより、同一の周波数チャネルを共有する場合、システム１００はまた、ＴＤＭＡシステムであり得、各タイムスロットは、異なるユーザ端末１２０に割り当てられている。
【００３９】
[0051]図２は、本開示の態様が実行され得るシステム１００のブロック図を例示する。例えば、アクセスポイント１１０は、ユーザ端末１２０に、要求フレームのＰＨＹヘッダ中に、即時応答が送られることになるインジケーションを有する要求フレーム１０２（例えば、ＰＰＤＵ）を送り得る。受け手のユーザ端末１２０は、インジケーションに基づいて、応答が送られることになることを決定し得、例えば、要求フレーム１０２のＭＡＣペイロードを復号する前に、即時応答１０４の少なくとも一部を生成及び送信し始め得る。
【００４０】
[0052]例えば、システム１００は、アクセスポイント１１０と２つのユーザ端末１２０ｍ及び１２０ｘとを有するＭＩＭＯシステムであり得る。アクセスポイント１１０は、Ｎａｐ個のアンテナ２２４ａ〜２２４ａｐを装備している。ユーザ端末１２０ｍは、Ｎｕｔ，ｍ個のアンテナ２５２ｍａ〜２５２ｍｕを装備しており、ユーザ端末１２０ｘは、Ｎｕｔ，ｘ個のアンテナ２５２ｘａ〜２５２ｘｕを装備している。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。ここで使用される場合、「送信エンティティ」は、ワイヤレスチャネルを介してデータを送信することができる独立して動作される装置またはデバイス（例えば、ＡＰまたはＳＴＡ）であり、「受信エンティティ」は、ワイヤレスチャネルを介してデータを受信することができる独立して動作する装置またはデバイス（例えば、ＡＰまたはＳＴＡ）である。下記の説明では、下付き文字「ｄｎ」はダウンリンクを示し、下付きの文字「ｕｐ」はアップリンクを示し、Ｎｕｐ個のユーザ端末が、アップリンク上での同時送信のために選択され、Ｎｄｎ個のユーザ端末が、ダウンリンク上での同時送信のために選択され、Ｎｕｐは、Ｎｄｎと等しい場合も等しくない場合もあり、ＮｕｐとＮｄｎは、静的な値であり得るかまたはスケジューリング間隔ごとに変化することもできる。ビームステアリングまたは何らかの他の空間処理技法は、アクセスポイント及び／またはユーザ端末において使用され得る。
【００４１】
[0053]アップリンク上では、アップリンク送信のために選択された各ユーザ端末１２０において、送信（ＴＸ）データプロセッサ２８８が、データソース２８６からトラフィックデータを受信し、コントローラ２８０から制御データを受信する。ＴＸデータプロセッサ２８８は、ユーザ端末のために選択されたレートに関連付けられたコーディング及び変調スキームに基づいて、ユーザ端末のためのトラフィックデータを処理（例えば、符号化、インターリーブ、及び変調）し、データシンボルストリームを提供する。ＴＸ空間プロセッサ２９０が、データシンボルストリームに対して空間処理を実行し、Ｎｕｔ，ｍ個のアンテナにＮｕｔ，ｍ個の送信シンボルストリームを提供する。各送信機ユニット（ＴＭＴＲ）２５４が、アップリンク信号を生成するために、それぞれの送信シンボルストリームを受信及び処理（例えば、アナログ変換、増幅、フィルタリング、周波数アップコンバート）する。Ｎｕｔ，ｍ個の送信機ユニット２５４は、Ｎｕｔ，ｍ個のアンテナ２５２からアクセスポイント１１０へと送信するためのＮｕｔ，ｍ個のアップリンク信号を提供する。メモリ２８２は、ユーザ端末１２０のためのデータ及びプログラムコードを記憶し得、コントローラ２８０とインターフェースし得る。
【００４２】
[0054]Ｎｕｐ個のユーザ端末１２０は、アップリンク上での同時送信のためにスケジューリングされ得る。これらのユーザ端末の各々は、それのデータシンボルストリームに対して空間処理を実行し、送信シンボルストリームのそのセットを、アップリンク上でアクセスポイントに送信する。
【００４３】
[0055]アクセスポイント１１０において、Ｎａｐ個のアンテナ２２４ａ〜２２４ａｐが、アップリンク上で送信するＮｕｐ個の全てのユーザ端末からのアップリンク信号を受信する。各アンテナ２２４は、受信した信号をそれぞれの受信機ユニット（ＲＣＶＲ）２２２に提供する。各受信機ユニット２２２は、送信機ユニット２５４によって実行された処理と相補的な処理を実行し、受信シンボルストリームを提供する。ＲＸ空間プロセッサ２４０は、Ｎａｐ個の受信機ユニット２２２からのＮａｐ個の受信シンボルストリームに対して受信機空間処理を実行し、Ｎｕｐ個の復元されたアップリンクデータシンボルストリームを提供する。受信機空間処理は、チャネル相関マトリクス反転（ＣＣＭＩ）、最小平均二乗誤差（ＭＭＳＥ）、ソフト干渉除去（ＳＩＣ）、または何らかの他の技法に従って実行される。各復元されたアップリンクデータシンボルストリームは、それぞれのユーザ端末によって送信されたデータシンボルストリームの推定である。ＲＸデータプロセッサ２４２は、復号されたデータを取得するために、各復元されたアップリンクデータシンボルストリームを、そのストリームに使用されたレートに従って処理（例えば、復調、デインターリーブ、及び復号）する。各ユーザ端末のための復号されたデータが、記憶のためにデータシンク２４４に及び／またはさらなる処理のためにコントローラ２３０に提供され得る。
【００４４】
[0056]ダウンリンク上では、アクセスポイント１１０において、ＴＸデータプロセッサ２１０が、ダウンリンク送信のためにスケジューリングされたＮｄｎ個のユーザ端末のために、データソース２０８からトラフィックデータを受信し、コントローラ２３０から制御データを受信し、場合によってはスケジューラ２３４から他のデータを受信する。様々なタイプのデータが、異なるトランスポートチャネル上で送られ得る。ＴＸデータプロセッサ２１０は、各ユーザ端末のためのトラフィックデータを、そのユーザ端末のために選択されたレートに基づいて、処理（例えば、符号化、インターリーブ、及び変調）する。ＴＸデータプロセッサ２１０は、Ｎｄｎ個のユーザ端末のためのＮｄｎ個のダウンリンクデータシンボルストリームを提供する。ＴＸ空間プロセッサ２２０は、Ｎｄｎ個のダウンリンクデータシンボルストリームに対して（プリコーディングまたはビームフォーミング等の）空間処理を実行し、Ｎａｐ個のアンテナにＮａｐ個の送信シンボルストリームを提供する。各送信機ユニット２２２は、ダウンリンク信号を生成するために、それぞれの送信シンボルストリームを受信及び処理する。Ｎａｐ個の送信機ユニット２２２は、Ｎａｐ個のアンテナ２２４からユーザ端末へと送信するためのＮａｐ個のダウンリンク信号を提供する。メモリ２３２は、アクセスポイント１１０のためのデータ及びプログラムコードを記憶し得、コントローラ２３０とインターフェースし得る。
【００４５】
[0057]各ユーザ端末１２０において、Ｎｕｔ，ｍ個のアンテナ２５２は、アクセスポイント１１０からＮａｐ個のダウンリンク信号を受信する。各受信機ユニット２５４は、関連付けられたアンテナ２５２からの受信信号を処理し、受信シンボルストリームを提供する。ＲＸ空間プロセッサ２６０が、Ｎｕｔ，ｍ個の受信機ユニット２５４からのＮｕｔ，ｍ個の受信シンボルストリームに対して受信機空間処理を実行し、ユーザ端末のための復元されたダウンリンクデータシンボルストリームを提供する。受信機空間処理は、ＣＣＭＩ、ＭＭＳＥ、または何らかの他の技法に従って実行される。ＲＸデータプロセッサ２７０は、ユーザ端末ための復号されたデータを取得するために、復元されたダウンリンクデータシンボルストリームを処理（例えば、復調、デインターリーブ、及び復号）する。各ユーザ端末のための復号されたデータが、記憶のためにデータシンク２７２に及び／またはさらなる処理のためにコントローラ２８０に提供され得る。
【００４６】
[0058]各ユーザ端末１２０において、チャネル推定器２７８が、ダウンリンクチャネル応答を推定し、ダウンリンクチャネル推定値を提供し、ダウンリンクチャネル推定値は、チャネル利得推定値、ＳＮＲ推定値、雑音分散、等を含み得る。同様に、アクセスポイント１１０において、チャネル推定器２２８は、アップリンクチャネル応答を推定し、アップリンクチャネル推定値を提供する。各ユーザ端末のためのコントローラ２８０は、典型的に、ユーザ端末のための空間フィルタマトリクスを、そのユーザ端末のためのダウンリンクチャネル応答マトリクスＨｄｎ，ｍに基づいて導出する。コントローラ２３０は、アクセスポイントのための空間フィルタマトリクスを、有効アップリンクチャネル応答マトリクスＨｕｐ，ｅｆｆに基づいて導出する。各ユーザ端末のためのコントローラ２８０は、フィードバック情報（例えば、ダウンリンク及び／またはアップリンク固有ベクトル、固有値、ＳＮＲ推定値、等）をアクセスポイントに送り得る。コントローラ２３０及び２８０はまた、それぞれ、アクセスポイント１１０及びユーザ端末１２０における、様々な処理ユニットの動作を制御する。
【００４７】
[0059]図３は、システム１００内で用いられ得るワイヤレスデバイス３０２において利用され得る様々なコンポーネントを例示する。ワイヤレスデバイス３０２は、ここで説明される様々な方法を実施するように構成され得るデバイスの例である。例えば、ワイヤレスデバイスは、それぞれ図８、９、１０に例示された動作８００、９００、または、１０００を実施し得る。ワイヤレスデバイス３０２は、アクセスポイント１１０またはユーザ端末１２０であり得る。
【００４８】
[0060]ワイヤレスデバイス３０２は、ワイヤレスデバイス３０２の動作を制御するプロセッサ３０４を含み得る。プロセッサ３０４はまた、中央処理装置（ＣＰＵ）と呼ばれ得る。読取専用メモリ（ＲＯＭ）とランダムアクセスメモリ（ＲＡＭ）の両方を含み得るメモリ３０６は、プロセッサ３０４に命令及びデータを提供する。メモリ３０６の一部はまた、不揮発性ランダムアクセスメモリ（ＮＶＲＡＭ）を含み得る。プロセッサ３０４は、典型的に、メモリ３０６内に記憶されたプログラム命令に基づいて論理及び算術演算を実行する。メモリ３０６内における命令は、ここで説明される方法を実施するように実行可能であり得る。
【００４９】
[0061]ワイヤレスデバイス３０２はまた、ワイヤレスデバイス３０２とリモートノードとの間でデータの送信及び受信を可能にするための送信機３１０及び受信機３１２を含み得る筐体３０８を含み得る。送信機３１０及び受信機３１２は、トランシーバ３１４へと組み合わされ得る。単数または複数の送信アンテナ３１６が、筐体３０８に取り付けられ、トランシーバ３１４に電気的に結合され得る。ワイヤレスデバイス３０２はまた、（示されていない）複数の送信機、複数の受信機、及び／または複数のトランシーバを含み得る。
【００５０】
[0062]ワイヤレスデバイス３０２はまた、トランシーバ３１４によって受信された信号のレベルを検出及び定量化しようとするのに使用され得る信号検出器３１８を含み得る。信号検出器３１８は、総エネルギー、シンボル毎のサブキャリア毎のエネルギー（energy per subcarrier per symbol）、パワースペクトル密度、及び他の信号のような信号を検出し得る。ワイヤレスデバイス３０２はまた、信号を処理する際に使用するためのデジタルシグナルプロセッサ（ＤＳＰ）３２０を含み得る。
【００５１】
[0063]ワイヤレスデバイス３０２の様々なコンポーネントは、データバスに加えて、電力バス、制御信号バス、及びステータス信号バスを含み得るバスシステム３２２によって一緒に結合され得る。
【００５２】
即時応答を可能にするための例となる技法
[0064]（高効率ワイヤレス（ＨＥＷ）または高効率ワイヤレスローカルエリアネットワーク（ＷＬＡＮ）としても知られている）ＩＥＥＥ８０２．１１ａｘのようなあるワイヤレス通信システムにおいて、物理（ＰＨＹ）レイヤ及び媒体アクセス制御（ＭＡＣ）レイヤシグナリングが、（例えば、要求及び応答のための）即時応答に使用され得る。ここで使用される場合、即時応答は、定義された時間期間内に、定義された時間期間の終わりに、または定義された時間期間の直後に（例えば、ショートインターフレーム間隔（ＳＩＦＳ）の後に）、要求フレームに応答して送信される応答フレームを指し得る。
【００５３】
[0065]あるＭＡＣフレームは、即時応答を請求し得る。例えば、データフレームは、即時応答として確認応答（ＡＣＫ）を請求し得、送信要求（ＲＴＳ）フレームは、即時応答として送信可（ＣＴＳ）フレームを請求し得る、等。要求フレーム（例えば、物理レイヤコンバージェンスプロトコル（ＰＬＣＰ）プロトコルデータユニット（ＰＰＤＵ））は、ＰＨＹヘッダ及びＭＡＣペイロード（例えば、ＭＡＣプロトコルデータユニット（ＭＰＤＵ））を有し得る。要求ＰＰＤＵは、即時応答を請求し得る。ＰＨＹヘッダ及びＭＰＤＵを有する応答ＰＰＤＵは、ＳＩＦＳの後に要求ＰＰＤＵに応答して送られ得る。
【００５４】
[0066]即時応答を請求するシグナリングは、応答生成のための時間を可能にするために、ＰＰＤＵの終わりから「数μｓの期限」内に、復号及び処理されるように設計される。しかしながら、直交周波数分割多重（ＯＦＤＭ）シンボルにおいて搬送されたデータを処理する（例えば、高速フーリエ変換（ＦＦＴ）、復号、等を実行する）のに、限られた量の時間がかかる。最後のＯＦＤＭシンボルを含む、ＰＰＤＵによって搬送された全てのデータが、期限内に復号される場合、問題はない。例えば、これは、（１ｘＦＦＴより４倍大きいＦＦＴを使用する、ＩＥＥＥ８０２．１１ａｘに従って送られるフレーム（ここでは「４ｘフレーム」と呼ぶ）とは対照的に）ここでは「１ｘフレーム」とも呼ぶ、現在のＩＥＥＥ８０２．１１規格に従って送られるフレームに当てはまり得る。最後のＯＦＤＭシンボルによって搬送されたデータが、期限内に完全には復号されることができない場合、即時応答に関する問題があり得る（または、ない場合もある）。これは、１ｘフレームと比較して、シンボル当たり、より長いＦＦＴ及びさらなるデータを伴い得る４ｘフレームに当てはまり得る。ＳＴＡ受信（ＲＸ）能力及びシグナリングの構造に依存して、最後のシンボルにおけるバイトの部分的な復号は、いくつかのケースにおいて、応答の生成に十分であり得る。最後のＯＦＤＭシンボルのデータの部分的な復号が問題であるケースでは、（すなわち、「最後の」ＯＦＤＭシンボルを実際には最後にしないために）パディングが、利用され得る。別のオプションは、即時応答を要求することを避けることであり得る。
【００５５】
[0067]４ｘフレームに応答するために、特定の解決は、１つまたは複数の仮定に基づき得る。１つの主要な仮定は、即時応答の送信を開始するために必要及び十分なＭＡＣ情報が、最後のＯＦＤＭシンボルにこぼれる（spill into）ことである。即時応答が問題であるか否かは、次の仮定のどれが正しいか、及び本開示のある態様の実現可能性に依存し得る。
【００５６】
[0068]ある態様では、最後のＯＦＤＭシンボルのバイトの全てが復号されるかどれも復号されないかのどちらであると仮定され得る（以下、「仮定１．０と呼ぶ）。言い換えると、最後のＯＦＤＭシンボルのバイトを復調及び処理するために、即時応答期間（すなわち、期限までに）より長い時間がかかる場合、これら全てのバイトは失われる（そして、応答が生成されることができない）。
【００５７】
[0069]他の態様では、最後のＯＦＤＭシンボルがｘ個より多くのバイトを搬送し得たとしても、受信機は、即時応答期間内に、最後のＯＦＤＭシンボルにおけるＸ個の物理レイヤ（ＰＨＹ）バイトまで復調及び処理できると仮定され得る。いくつかのケース（以下、「仮定１．１」と呼ぶ）では、期限前に処理されたバイトは保持され得るが、期限後に処理されたバイトは失われる。他のケース（以下、「仮定１．２」と呼ぶ）では、応答が作成及び送られている間に（例えば、応答についての全ての情報が最初のＸ個のバイト内にあると仮定して、ショートトレーニングフィールド（ＳＴＦ）及びロングトレーニングフィールド（ＬＴＦ）が、既に送られている間に）、期限後のバイトは、受信及び処理されることができる。
【００５８】
[0070]本開示のある態様は、受信機から即時応答を可能にするための送信技法を提供し、それは、応答を請求するフレームにパディングを添付することを避け得る。
【００５９】
[0071]（仮定１．０または１．１に適した）ある態様では、送信機は、Ｒより高いレートで、即時応答を予期する（４ｘ）フレームを送ることが許可されない場合がある。Ｒは、ＩＥＥＥ８０２．１１規格に対するＩＥＥＥ８０２．１１ａｘ補正(または後続の補正)によって指定され得る、または、受信機によって送信機に示され得る。レート制限（Ｒ）は、ＰＨＹレート、または、変調及びコーディングスキーム（ＭＣＳ）、帯域幅（ＢＷ）、コーディング、空間ストリームの数（Ｎｓｓ）の組み合わせに関して表され得る（例えば、全ての２０ＭＨｚ送信については、恐らく問題はない）。他の態様では、送信機は、レート制限を超えるＰＰＤＵを送ることが許可され得、そのケースにおいて、送信機は、ＰＰＤＵを長くし、即時応答の問題を避けるために、パディングを使用し得る。
【００６０】
[0072]他の態様では、送信機は、Ｒより高いレートで送られる最後の（または、最後のＮ個の）ＯＦＤＭシンボルを有する、即時応答を予期するフレームを送ることを許可されない場合がある。上述したように、Ｒは、ＩＥＥＥ８０２．１１規格に対するＩＥＥＥ８０２．１１ａｘ補正（または、後続の補正）によって指定され得る、または、受信機によって送信機に示され得る。レート制限（Ｒ）は、ＰＨＹレート、または、ＭＣＳ、ＢＷ、コーディング、Ｎｓｓの組み合わせに関して表される所定のしきい値であり得る。ある態様では、最後のシンボルのＭＣＳは、（１）データ部分のＭＣＳがＲより小さい場合、データ部分のＭＣＳに等しくなるように、または、（２）データ部分のＭＣＳがＲより大きい場合、Ｒに等しくなるように、設定され得る。このスキームは、データ部分における異なるＭＣＳを可能にするＰＨＹ設計を伴う。例えば、最後の（１つまたは複数の）シンボルについての異なるＭＣＳの存在は、送信されたフレームのＰＨＹヘッダに示され得る。他の態様では、送信機は、Ｒより高いレートで送られる最後のＯＦＤＭシンボルを有する、即時応答を予期するフレームを送ることが許可され得、そのケースにおいて、送信機は、ＰＰＤＵを長くし、即時応答の問題を避けるために、パディングを使用し得る。
【００６１】
[0073]（仮定１．１に適した）ある態様に従って、送信機は、最後のＯＦＤＭシンボルにおいて、（例えば、Ｒを超える）Ｘ個より多くのＰＨＹバイト、しかし、Ｘ個までの有益なＭＡＣバイトを送り得る（残りのバイトは、仮定に従っていずれにせよ失われるだろう）。制限Ｘは、ＩＥＥＥ８０２．１１規格に対するＩＥＥＥ８０２．１１ａｘ補正(または、後続の補正)によって指定され得る、または受信機によって送信機に示され得る。制限Ｘは、バイト数として、または、ＰＨＹレート、もしくは、ＭＣＳ、ＢＷ、コーディング、Ｎｓｓの組み合わせに関して表される所定のしきい値であり得る。Ｘ個より多くの有益なＭＡＣバイトが送られる場合、ＰＰＤＵを長くし、即時応答の問題を避けるために、パディングが加えられ得る。
【００６２】
[0074]ある態様に従って、最小ＭＡＣプロトコルデータユニット（ＭＰＤＵ）開始の間隔が利用され得、最後の（１つまたは複数の）シンボルのみに適用され得る。最小ＭＰＤＵ開始間隔は、ＳＴＡが受信することができる集約されたＭＰＤＵ（Ａ−ＭＰＤＵ）内の隣接するＭＰＤＵの開始間の最小時間を決定する。この間隔は、今日では既に定義されているが、現在ＰＰＤＵ全体に適用される。本開示のある態様では、異なる値は、最後のシンボルのみについて定義され得る。単一のＭＰＤＵは、いずれにせよ復号可能である可能性が高い。
【００６３】
[0075]（仮定１．２に適した）ある態様に従って、送信機は、最後のＯＦＤＭシンボルにおけるＸ個より多くのＰＨＹバイト（Ｒより大きい）及びＸ個より多くのＭＡＣバイトを送り得るが、即時応答に必要及び十分な全てのシグナリングは、最初のＸ個のバイト（すなわち、フレームにおけるより早いＯＦＤＭシンボル）内に含まれる。この上記の条件が満たされない場合、ＰＰＤＵを長くし、即時応答の問題を避けるために、パディングが加えられ得る。制限Ｘは、ＩＥＥＥ８０２．１１規格に対するＩＥＥＥ８０２．１１ａｘ補正(または、後続の補正)によって指定され得る、または、受信機によって送信機に示され得る。制限Ｘは、ＰＨＹレート、または、ＭＣＳ、ＢＷ、コーディング、Ｎｓｓの組み合わせに関して表され得る。このケースに関する条件は、受信機が応答を送信すること（及び、恐らく応答の種類）を知っていることを保証するだけであり得る。しかしながら、最初のＸ個のバイトは、応答が含むべきものの全てを決定するのに十分ではない場合がある。例えば、全てのデータが復号されるのではなく、従って、ブロック確認応答（ＢＡ）ビットマップは、後にポピュレートされ得る。別の例として、フレームチェックシーケンス（ＦＣＳ）は、まだ復号されていない場合があり、従って、確認応答（ＡＣＫ）プロシージャは、修正され得る。
【００６４】
[0076]（仮定１．２に適した）ある態様に従って、送信機は、４ｘＯＦＤＭシンボルではなく１ｘＯＦＤＭシンボルとして、最後のＮ個のＯＦＤＭシンボルを送り得る。送信機は、レートがＲより大きい場合、それを行い得る。送信機は、４ｘ最後の（または最後のＮ個の）ＯＦＤＭシンボル及びＲより大きいレートで即時応答を予期するＰＰＤＵを送ることが許可されない場合がある。レート制限（Ｒ）は、ＰＨＹレート、または、ＭＣＳ、ＢＷ、コーディング、Ｎｓｓの組み合わせに関して表され得る。他の態様では、送信機は、上記の条件を満たさないフレームを送ることが許可され得、そのケースにおいて、送信機は、ＰＰＤＵを長くし、即時応答の問題を避けるために、パディングを使用し得る。
【００６５】
[0077]即時応答を開始するために必要及び十分な情報が、４ｘフレームの最後のＯＦＤＭシンボル内にない場合、即時応答は、問題ではない。これは、ＭＡＣがデータを、それが利用可能になり次第処理し始めることができることを仮定している。上述された仮定に依存して、最後のＯＦＤＭシンボルは、復号またはドロップされ得る。最後のＯＦＤＭシンボルの復号は、即時応答を識別するのに必要ではない場合があるが、即時応答の内容（例えば、トリガまたはブロックＡｃｋについての）を決定し、効率を増加する（全てのデータＭＰＤＵを復号する）のに有益であり得る。この考察を考えると、送信機は、本開示のある態様に従って、最後のＯＦＤＭシンボルにおいて即時応答に必要な何らかの情報を含まない場合がある。
【００６６】
[0078]上述された様々なシナリオの条件が立証されるとき、パディングは、避けられることができるし、そうでなければ、パディングは、加えられ得る。言い換えると、（例えば、送信機ルールが破られる、または、送信機ルールを上回る場合）パディングは、適合する方法で加えられ得る。例えば、フレームが即時応答を請求する場合且つ次の条件のうちの１つが満たされる場合、パディングが加えられ得る。（１）フレームがＲより大きいレートで送られる、またはフレームの最後のシンボルがＲより大きいレートで送られる場合、（２）最後のシンボルにＸ個より多くのバイトがある場合、または最後のシンボルに最小ＭＰＤＵ間隔より小さいのがある場合、（３）アーキテクチャが応答のための部分的ＯＦＤＭシンボルを処理することができない場合、または、（４）即時応答についてのＭＡＣ情報がＸバイト内に限られない場合。受信エンティティ（例えば、ＳＴＡ）、またはＩＥＥＥ８０２．１１規格補正は、パディングが呼び出される条件／パラメータを示し得る。例えば、ＳＴＡは、パディングが呼び出されるかどうか、及びいつかを示し得る（最大レートＲもしくはバイトの最大数Ｘ、または、最小ＭＰＤＵ間隔）。代替的には、レート及び／またはバイト制限は、ＩＥＥＥ８０２．１１規格またはそれへの補正においてハードコード化され得る。
【００６７】
[0079]送信エンティティは、制約に留意し、及び正当化されたときにパディングを追加しながら、送信をどのように実行するのかを決める。例えば、送信機は、パディングを避けようとして、即時応答を要求するとき、Ｒより小さいレートを使用し得る。送信機は、パケットを集約し、即時応答を予期するパケットは比較的早い位置にあることを確実にし得る。他の態様では、送信機は、即時応答を要求することを避け、代わりに、遅延ブロック肯定確認を使用し得る。これらの代替案にもかかわらず、送信機は、いくつかの事例では、パディングを使用し得る。
【００６８】
[0080]送信機に通知するために、受信機は、任意の様々に適したインジケーションとともにその制限をシグナリングし得る。これらのインジケーションは、（ある制限は、Ａ−ＭＰＤＵのケースにのみ適用されるという理解の下で、）能力インジケーションまたは追加ブロック肯定確認（ＡＤＤＢＡ）インジケーションにおいて搬送され得る。例えば、インジケーションは、最後のシンボルで処理されることができる最大バイト数、即時応答を要求するＰＰＤＵについて許可される最大ＰＨＹレート、または即時応答を要求するＰＰＤＵの最後のシンボルについて許可される最大ＰＨＹレートを含み得る。ある態様では、インジケーションは、最小のＭＰＤＵ開始間隔を含み得、それは最後のシンボルだけに適用され得る。最小ＭＰＤＵ間隔は、ＳＴＡが受信することができるＡ−ＭＰＤＵ内の隣接するＭＰＤＵの開始間の最小時間を決定する。
【００６９】
[0081]上述したように、パディングは、フレームを長くするために加えられ得る。図４は、本開示のある態様に従った、要求フレーム４０４（例えば、要求フレーム１０２）にパディング４０２を加えることを例示する。要求フレーム４０４にパディングするために、（例えば、ジャンクパディング、または即時応答を予期しない有益なデータを含む）ＯＦＤＭシンボルは、応答４０６（例えば、即時応答１０４）を請求するフレームの一部に添付され得る。この仕方で要求フレーム４０４にパディングすることは、示されるように、ＳＩＦＳ時間４０８を確保する。パディングは、以下に説明するように、ＰＨＹレイヤによって、またはＭＡＣレイヤによって行われ得る。
【００７０】
[0082]ＭＡＣパディングでは、ＩＥＥＥ８０２．１１ａｘは、（ＩＥＥＥ．８０２．１１ａｃの場合と同じ）全てのＰＰＤＵのためにＡ−ＭＰＤＵを使用すると仮定され得る。このケースでは、さらなるＭＰＤＵまたはデリミタは、ＰＰＤＵ長さが増加するように、即時応答を予期する最後のＭＰＤＵの後に加えられ得る。デリミタ及び／またはＭＰＤＵの適切な数は、十分なパディング時間が生成されるように加えられ得る。デリミタのケースでは、フレーム終了（ＥｏＦ）デリミタが、加えられ得る。ＥｏＦデリミタは、それ以上のＭＰＤＵが以降送られないというインジケーションを有する標準のデリミタである。ＭＰＤＵのケースでは、即時応答を予期しない任意のＭＰＤＵが、加えられ得る。受信機が、Ａ−ＭＰＤＵの残りの部分に即時応答を予期するＭＰＤＵがまだあるかどうかを知ること可能にするインジケーションを加えることも有益であり得る（例えば、即時応答を予期する最後のＭＰＤＵの後、全てのＭＰＤＵのためにデリミタにおけるＥｏＦ＝１を使用）。
【００７１】
[0083]図５に例示される１つの例では、要求ＰＰＤＵ５００は、複数ユーザ（ＭＵ）トリガフレーム５０４を搬送する。ＭＵトリガフレーム５０４は、１つまたは複数のＳＴＡから即時応答を請求し、応答の内容と種類を決定するために受信機によって使用されるパラメータを含む。これにより、ＵＬ、ＭＵ−ＭＩＭＯ、またはＵＬ  ＯＦＤＭＡ技法を有する動作が可能になる。ＭＵトリガフレーム５０４は、２つのＭＰＤＵ５０６、５０８、または同一のＭＰＤＵ内の２つの部分等の、２つの部分に分けられ得る。このケースでは、ＳＩＦＳ応答５１０（すなわち、ＳＩＦＳ時間４０８の後に、または、終了までに送られる応答）は、第１のＭＰＤＵ５０６における情報だけに基づいていくつかの実施で生成され得（すなわち、即時応答は、第２のＭＰＤＵ５０８における情報なしに公式化され得る）、後の情報は、応答の内容を決定するのに有益であり得、後に処理され得る。
【００７２】
[0084]図６に例示される別の例では、送信エンティティは、遅延ブロック肯定確認（Ｂｌｏｃｋ  Ａｃｋ）ポリシーとともに、データＭＰＤＵ６０８が後に続くＭＵトリガフレーム６０６を送り得る。いくつかの実施では、即時応答６１０は、ＭＵトリガフレーム６０６にのみ基づいて生成され得る。ある態様では、ブロック肯定応答（ＢＡ）６１２は、ＵＬ  ＰＰＤＵ６１４の後の部分に加えられ得る。
【００７３】
[0085]ＰＨＹパディングでは、１つまたは複数のＯＦＤＭシンボルは、フレームの終わりに加えられ得る。１ｘシンボルのケースでは、このパディングは、ジャンクまたは有益な情報を含み得る（１ｘシンボルであり、この情報は、ＳＩＦＳ時間に処理されさえし得る）。４ｘシンボルのケースでは、このパディングは、ジャンクシンボル、または、ＳＩＦＳ応答を請求しない、もしくはＳＩＦＳ時間に処理されることができる何らかの有益なシグナリングを含み得る。例えば、このような有益なシグナリングは、搬送波周波数オフセット（ＣＦＯ）修正、チャネル推定、及び類似のものを含み得る。
【００７４】
[0086]パディングと対照的に、即時応答を請求するフレームの最後の４ｘシンボル（または、最後のＮ個の４ｘシンボル）は、代わりに、複数の１ｘシンボルに「変換」され得る。例えば、４ｘフレームにおける最後の（１つまたは複数の）シンボルは、１ｘ送信モードを使用し得る。これは、本質的にはパディングではない。なぜなら、送信エンティティは、新しいバイトまたはジャンクバイトを追加していないからである。１ｘシンボルの存在及び／または数は、ヘッダに示され得、受信エンティティと交渉（negotiate）され得る。
【００７５】
[0087]ＰＨＹパディングが使用される場合、ＰＨＹヘッダに、存在及び／または持続期間のインジケーションを有することは有益である。存在が送信機と対象の受信機との間で既に交渉されていたとしても（及び、パディングがどのように行われるかに依存して）、第三者のＳＴＡは、パディングがあるか否か（例えば、ブロードキャストされるパケットについて）を知りたいだろう。
【００７６】
[0088]代替的には、パディングは、受信エンティティで使用され得る。このケースでは、受信機が時間通りに識別されることができるが、応答の種類及び／または内容が時間通りに作成されることができないと仮定すると、ＳＴＡは、ＭＡＣ処理のためのさらなる時間を獲得するためにその応答を予めパディングし得る。
【００７７】
[0089]別の代替的な解決として、即時応答のための時間は、より長い時間（例えば、１０μｓのＳＩＦＳ時間より大きい）まで増加され得る。例えば、即時応答のための時間は、ポイント調整機能（ＰＣＦ）インターフレーム間隔（ＰＩＦＳ）まで増加され得る。しかしながら、このケースでは、ＳＴＡまたはＡＰは、応答が送られる前に、媒体を捉え得る。ネットワーク割り当てベクトル（ＮＡＶ）またはレガシー信号フィールド（Ｌ−ＳＩＧ）送信機会（ＴＸＯＰ）は、保護を提供し得るが、信頼性を欠いている場合がある。ＰＩＦＳを使用することの１つの付随的な利益は、これが、応答前にクリアチャネル評価（ＣＣＡ）を実行することを可能にするだろうことである。ある態様では、送信のために使用される即時応答送信またはパラメータは、決定されたＣＣＡ条件の機能（a function）であり得る。
【００７８】
[0090]加えてまたは代替的には、ある態様では、即時処理を予期しない別個の「パッドＰＰＤＵ」７０２は、図７に例示されるように、要求フレーム１０２の後に送られ得る。例えば、このパッドＰＰＤＵ７０２は、要求フレーム１０２を送信してからＳＩＦＳまたは低減されたインターフレーム間隔（ＲＩＦＳ）時間７０４後に送られ得る。ある態様では、パッドＰＰＤＵ７０２は、１ｘフォーマットを使用し、ＳＩＦＳ時間４０８で処理されることができる。例えば、パッドＰＰＤＵ７０２は、１ｘブロック肯定応答要求（ＢＡＲ）、または、トリガの１ｘ部分で実施され得る。
【００７９】
[0091]ある態様では、ＳＩＦＳ応答を避けることが可能であり得る。しかしながら、このような応答期間は、ある制御フレーム（例えば、ＲＴＳ、トリガ、及びＢＡＲ／ＢＡ）にとって避けられない場合がある。このような制御フレームは、１ｘモードを使用して送信され得るが、ＨＥＷの利益を享受しないだろう。ＳＩＦＳ応答を避けるための別の方法は、遅延ブロックＡｃｋポリシーを使用することであり、そこでは、即時応答の代わりに、ブロックＡｃｋが、後の時間に受信機によって送信される。しかしながら、現在では、遅延ブロックＡｃｋは、ブロックＡｃｋウィンドウのあまり予測的でない管理を含意するので、広く使用されていない。ブロックＡｃｋをスケジュールすることは、役に立ち得る。
【００８０】
[0092]図８は、本開示のある態様に従った、制約に基づいて、応答を請求するフレームを、送信のために出力するための例となる動作８００のフロー図である。例えば、動作８００は、第１の装置（例えば、アクセスポイント１１０、ユーザ端末１２０、もしくはワイヤレスデバイス３０２、またはそれらの中の処理システム）によって実行され得る。
【００８１】
[0093]動作８００は、ブロック８０２において、第１の装置が第２の装置（例えば、アクセスポイント１１０、ユーザ端末１２０、もしくはワイヤレスデバイス３０２、またはそれらの中の処理システム）と通信するための少なくとも１つの制約を決定して、始まり得る。ブロック８０４において、第１の装置は、応答を請求するフレームを生成する。ブロック８０６において、第１の装置は、第２の装置への送信のためのフレームを出力する。フレームの少なくとも最後のシンボルは、決定された期間（例えば、ショートインターフレーム間隔（ＳＩＦＳ））内に第２の装置が応答を送信することを可能にする制約によって決定された仕方で送信される。
【００８２】
[0094]ある態様に従って、ブロック８０２において、制約を決定することは、第１の装置が第２の装置から制約のインジケーションを受信することを伴う。
【００８３】
[0095]ある態様に従って、制約は、レート制限を含む。このケースにおいて、フレームは、レート制限より小さいまたは等しいレートで送信され得る。レート制限は、（１）物理レイヤ（ＰＨＹ）レート、または（２）変調及びコーディングスキーム（ＭＣＳ）、帯域幅、コーディングレート、空間ストリームの数、またはそれらの組み合わせとして表され得る。ある態様では、ブロック８０４において、フレームを生成することは、フレームがレート制限より大きいレートで送信された場合、少なくとも最後のシンボルにおいてパディングを使用することを含む。このケースでは、ブロック８０４において、フレームを生成することはまた、フレームのヘッダにおいて、少なくとも最後のシンボルにおけるパディングの存在または持続期間のうちの少なくとも１つを示すことを含む。ある態様では、フレームの少なくとも最後のシンボルは、レート制限より小さいか等しいレートで送信される。このケースにおいて、少なくとも最後のシンボルの変調及びコーディングスキーム（ＭＣＳ）は、（１）フレームのデータ部分のＭＣＳがレート制限より小さいデータレートに対応する場合、データ部分のＭＣＳに、または（２）データ部分のＭＣＳが、レート制限より大きい、もしくは等しいデータレートに対応する場合、レート制限に対応するＭＣＳに、等しくなるように設定され得る。ある態様では、レート制限は、決定された期間内に第２の装置が復調及び処理することができるバイト数に基づく。このケースでは、フレームの少なくとも最後のシンボルは、レート制限より大きいレートで送信され、（１）第２の装置が最後のシンボルにおける応答を生成するのに必要なバイト数は、決定された期間内に、第２の装置が復調及び処理することができるバイト数より小さいもしくは等しい、または、（２）第２の装置が応答を生成するのに必要な情報は、決定された期間内に、第２の装置が復調及び処理することができるバイト数より小さいもしくは等しいバイト数を有する最後のシンボルの早い部分に制限される。
【００８４】
[0096]ある態様に従って、ブロック８０４において、フレームを生成することは、ＩＥＥＥ８０２．１１ａｘ補正またはＩＥＥＥ８０２．１１規格への後続の補正に従って４ｘフレームを生成することを伴う。
【００８５】
[0097]図９は、本開示のある態様に従って、応答を請求し、異なるデータレートを有する少なくとも２つの部分を有するフレームを送信のために出力するための例となる動作９００のフロー図である。例えば、動作９００は、第１の装置（例えば、アクセスポイント１１０、ユーザ端末１２０、もしくはワイヤレスデバイス３０２、またはそれらの中の処理システム）によって実行され得る。
【００８６】
[0098]動作９００は、ブロック９０２において、第１の装置が、決定された期間（例えば、ＳＩＦＳ）内に応答を請求するフレームを生成して、始まり得る。フレームは、１つまたは複数のシンボル（例えば、ＯＦＤＭシンボル）を有する第１の部分と、フレーム内において第１の部分の後に位置付けられ、複数のシンボルを有する第２の部分とを備える。ある態様では、第２の部分は、フレームの最後の部分（例えば、最後の１つまたは複数のＯＦＤＭシンボル）であり得る。ブロック９０３において、第１の装置は、第１の部分における１つまたは複数のシンボルについてのデータレートを、第２の部分における複数のシンボルについてのデータレートより大きい（例えば、少なくとも４倍（４ｘ）大きい）ように設定する。動作９０４において、第１の装置は、第２の装置（例えば、アクセスポイント１１０、ユーザ端末１２０、もしくはワイヤレスデバイス３０２、またはそれらの中の処理システム）への送信のためのフレームを出力する。
【００８７】
[0099]ある態様に従って、ブロック９０２において、フレームを生成することは、ＩＥＥＥ８０２．１１ａｘ補正またはＩＥＥＥ８０２．１１規格への後続の補正に従って４ｘフレームを生成することを伴う。このケースでは、第１の部分における１つまたは複数のシンボルは、４ｘ（ＯＦＤＭ）シンボルであり得る。ある態様では、第２の部分における複数のシンボルは、ＩＥＥＥ８０２．１１ａｃ補正またはＩＥＥＥ８０２．１１規格に対する以前の補正に従った送信モードを有する１ｘ（ＯＦＤＭ）シンボルであり得る。
【００８８】
[0100]ある態様に従って、ブロック９０２において、フレームを生成することは、第２の部分（例えば、最後の部分）におけるＯＦＤＭシンボルの存在または数のうちの少なくとも１つを、フレームのヘッダにおいて示すことを伴う。
【００８９】
[0101]ある態様に従って、第２の部分は、第２の装置が応答を生成するのに必要な情報の少なくとも一部を含む。
【００９０】
[0102]図１０は、本開示のある態様に従った、応答を請求し、最後のシンボルにおける情報を制限するフレームを送信のために出力するための例となる動作１０００のフロー図である。例えば、動作１０００は、第１の装置（例えば、アクセスポイント１１０、ユーザ端末１２０、もしくはワイヤレスデバイス３０２、またはそれらの中の処理システム）によって実行され得る。
【００９１】
[0103]動作１０００は、ブロック１００２において、第１の装置が、決定された期間（例えば、ＳＩＦＳ）内に、応答を請求するフレームを生成して、始まり得る。フレームは、複数の（ＯＦＤＭ）シンボルを備える。ブロック１００２において、フレームの最後のシンボルに（時間的に）先行するフレームのシンボルに、第２の装置（例えば、ユーザ端末１２０またはアクセスポイント１１０）が応答を生成するのに必要な情報を置くことによって及び第２の装置が応答を生成するのに必要な情報がフレームの最後のシンボルに含まれるのを阻止することによって、第１の装置は、フレームを生成し得る。ある態様では、ブロック１００２において、フレームを生成することは、ＩＥＥＥ８０２．１１ａｘ補正、またはＩＥＥＥ８０２．１１規格に対する後続の補正に従って４ｘフレームを生成することを伴う。ブロック１００４において、第１の装置は、第２の装置への送信のためのフレームを出力する。
【００９２】
[0104]上述された方法の様々な動作は、対応する機能を実行することができる任意の適した手段によって実行され得る。手段は、回路、特定用途向け集積回路（ＡＳＩＣ）、またはプロセッサを含むがそれらに制限されるわけではない、様々な（１つまたは複数の）ハードウェア及び／またはソフトウェアコンポーネント及び／または（１つまたは複数の）モジュールを含み得る。一般に、図面において例示される動作がある場合、それらの動作は、同様の番号を有する対応する相対するミーンズプラスファンクションコンポーネントを有し得る。例えば、図８に例示された動作８００は、図８Ａに例示された手段８００Ａに対応し、図９に例示された動作９００は、図９Ａに例示された手段９００Ａに対応し、図１０に例示された動作１０００は、図１０Ａに例示された手段１０００Ａに対応する。
【００９３】
[0105]例えば、送信するための手段は、図２に例示されたアクセスポイント１１０の送信機（例えば、送信機ユニット２２２）及び／または（１つまたは複数の）アンテナ２２４、図２に描かれたユーザ端末１２０の送信機（例えば、送信機ユニット２５４）及び／または（１つまたは複数の）アンテナ２５２、または図３に図示された送信機３１０及び／または（１つまたは複数の）アンテナ３１６を備え得る。受信するための手段は、図２に例示されたアクセスポイント１１０の受信機（例えば、受信機ユニット２２２）及び／または（１つまたは複数の）アンテナ２２４、図２に示されたユーザ端末１２０の受信機（例えば、受信機ユニット２５４）及び／または（１つまたは複数の）アンテナ２５２、または図３に図示された受信機３１２及び／または（１つまたは複数の）アンテナ３１６を備え得る。処理するための手段、生成するための手段、出力するための手段、及び／または決定するための手段は、処理システムを備え得、それは、図２に例示されたアクセスポイント１１０のＲＸデータプロセッサ２４２、ＴＸデータプロセッサ２１０、及び／またはコントローラ２３０、図２に例示されたユーザ端末１２０のＲＸデータプロセッサ２７０、ＴＸデータプロセッサ２８８、及び／またはコントローラ２８０、または、図３に描かれたプロセッサ３０４、及び／またはＤＳＰ３２０等の、（例えば、アルゴリズム、または動作８００、９００、及び１０００を実施することができる）１つまたは複数のプロセッサを含み得る。
【００９４】
[0106]いくつかのケースでは、パケット（またはフレーム）を実際に送信するというよりむしろ、デバイスは、送信のためにパケットを出力するためのインターフェースを有し得る。例えば、プロセッサは、バスインターフェースを介して、送信のためのＲＦフロントエンドに、パケットを出力し得る。同様に、パケット（またはフレーム）を実際に受信するというよりむしろ、デバイスは、別のデバイスから受信したパケットを取得するためのインターフェースを有し得る。例えば、プロセッサは、バスインターフェースを介して、受信のためのＲＦフロントエンドから、パケットを取得（または受信）し得る。
【００９５】
[0107]ある態様に従って、そのような手段は、（例えば、ハードウェアにおいて、または、ソフトウェア命令を実行することによって）様々なアルゴリズムを実施することにより対応する機能を実行するように構成された処理システムによって実施され得る。例えば、これらのアルゴリズムは、第２の装置と通信するための少なくとも１つの制約を決定するためのアルゴリズムと、応答を請求するフレームを生成するためのアルゴリズムと、第２の装置への送信のためのフレームを出力するためのアルゴリズムとを含み得、ここで、フレームの少なくとも最後のシンボルは、決定された期間内に第２の装置が応答を送信することを可能にする制約によって決定された仕方で送信される。
【００９６】
[0108]ここで使用される場合、用語「決定すること」は、幅広いアクションを包含する。例えば、「決定すること」は、算出すること、計算すること（computing）、処理すること、導出すること、調査すること、ルックアップすること（例えば、表、データベース、または別のデータ構造をルックアップすること）、確定すること、及び類似のことを含み得る。また、「決定すること」は、受信すること（例えば、情報を受信すること）、アクセスすること（例えば、メモリ内のデータにアクセスすること）、及び類似のことを含み得る。さらに、「決定すること」は、解決すること、選択すること、選ぶこと、確立すること、及び類似のことを含み得る。
【００９７】
[0109]ここで使用されるように、項目のリスト「のうちの少なくとも１つ」を指すフレーズは、単一のメンバを含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、及びａ−ｂ−ｃ、とともに、同一の要素の任意の複数の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、及びｃ−ｃ−ｃ、または、ａ、ｂ、ｃ、の任意の他の順序付け）をカバーすることが意図される。
【００９８】
[0110]本開示に関連して説明された様々な例示的な論理ブロック、モジュール、及び回路は、ここに説明された機能を実行するように設計された、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブル論理デバイス（ＰＬＤ）、ディスクリートゲートもしくはトランジスタ論理、ディスクリートハードウェアコンポーネント、または、それらの任意の組み合わせを用いて、実施または実行され得る。汎用プロセッサは、マイクロプロセッサであり得るが、代替案では、プロセッサは、任意の商業的に利用可能なプロセッサ、コントローラ、マイクロコントローラ、またはステートマシン（state machine）であり得る。プロセッサはまた、コンピューティングデバイスの組み合わせ、例えば、ＤＳＰ及びマイクロプロセッサの組み合わせ、複数のマイクロプロセッサ、ＤＳＰコアと連携した１つまたは複数のマイクロプロセッサ、または任意の他のそのような構成として実施され得る。
【００９９】
[0111]本開示に関連して説明された方法またはアルゴリズムのステップは、直接的にハードウェアで、プロセッサによって実行されたソフトウェアモジュールで、またはこの２つの組み合わせで、具現化され得る。ソフトウェアモジュールは、当該技術分野で知られている任意の形態の記憶媒体中に存在し得る。使用され得る記憶媒体のいくつかの例は、ランダムアクセスメモリ（ＲＡＭ）、読取専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭ、等を含む。ソフトウェアモジュールは、単一の命令、または多くの命令を備え得、いくつかの異なるコードセグメントにわたって、異なるプログラム間で、及び複数の記憶媒体にわたって、分散され得る。記憶媒体は、プロセッサが記憶媒体から情報を読み取り及び記憶媒体に情報を書き込むことができるように、プロセッサに結合され得る。代替案では、記憶媒体はプロセッサに一体化され得る。
【０１００】
[0112]ここで開示された方法は、説明された方法を達成するための１つまたは複数のステップまたはアクションを備える。方法のステップ及び／またはアクションは、特許請求の範囲から逸脱することなく互いに置き換えられ得る。言い換えれば、ステップまたはアクションの特定の順序が特定されない限り、特定のステップ及び／またはアクションの順序及び／または使用は、特許請求の範囲から逸脱することなしに修正され得る。
【０１０１】
[0113]説明された機能は、ハードウェア、ソフトウェア、ファームウェア、またはそれらの任意の組み合わせで実施され得る。ハードウェアにおいて実施される場合、例となるハードウェア構成は、ワイヤレスノードにおける処理システムを備え得る。処理システムは、バスアーキテクチャを用いて実施され得る。バスは、処理システムの特定の用途と全体的な設計の制約に依存して、任意の数の相互接続バス及びブリッジを含み得る。バスは、プロセッサ、機械読取可能な媒体、及びバスインターフェースを含む様々な回路を共にリンクさせ得る。バスインターフェースは、とりわけ、ネットワークアダプタを、バスを介して処理システムに接続するために使用され得る。ネットワークアダプタは、ＰＨＹ層の信号処理機能を実施するのに使用され得る。ユーザ端末１２０（図１を参照）の場合、ユーザインターフェース（例えば、キーパッド、ディスプレイ、マウス、ジョイスティック、等）はまた、バスに接続され得る。バスはまた、タイミングソース、周辺機器、電圧レギュレータ、電力管理回路、及び類似のもののような様々な他の回路をリンクさせ得るが、それらは当該技術分野において周知であるため、これ以上は説明されない。
【０１０２】
[0114]プロセッサは、バスの管理と、機械読取可能な媒体に記憶されたソフトウェアの実行を含む汎用処理と、を担い得る。プロセッサは、１つまたは複数の汎用及び／または特殊用途プロセッサを用いて実施され得る。例は、ソフトウェアを実行することができるマイクロプロセッサ、マイクロコントローラ、ＤＳＰプロセッサ、及び他の回路を含む。ソフトウェアは、ソフトウェア、ファームウェア、ミドルウェア、マイクロコード、ハードウェア記述言語、またはその他の方法で称されようとも、命令、データ、またはそれらの任意の組み合わせを意味するように広く解釈されるべきである。機械読取可能な媒体は、例として、ＲＡＭ（ランダムアクセスメモリ）、フラッシュメモリ、ＲＯＭ（読取専用メモリ）、ＰＲＯＭ（プログラマブル読取専用メモリ）、ＥＰＲＯＭ（消去可能なプログラマブル読取専用メモリ）、ＥＥＰＲＯＭ（電気的に消去可能なプログラマブル読取専用メモリ）、レジスタ、磁気ディスク、光ディスク、ハードドライブ、または任意の他の適切な記憶媒体、またはそれらの任意の組み合わせを含み得る。機械読取可能な媒体は、コンピュータプログラム製品に具現化され得る。コンピュータプログラム製品は、パッケージ材料を備え得る。
【０１０３】
[0115]ハードウェア実施において、機械読取可能な媒体は、プロセッサとは別個の処理システムの一部であり得る。しかしながら、当業者によって容易に理解されるように、機械読取可能な媒体またはそのうちの任意の部分は、処理システムの外部にあり得る。例として、機械読取可能な媒体は、送信回線、データによって変調された搬送波及び／またはワイヤレスノードとは別個の記憶された命令を有するコンピュータ読取可能な記憶媒体を含み得るが、それらの全ては、バスインターフェースを介してプロセッサによりアクセスされ得る。代替的にはまたは加えて、機械読取可能な媒体またはそのうちの任意の部分は、キャッシュ及び／または汎用レジスタファイルが用いられ得るように、プロセッサに一体化され得る。
【０１０４】
[0116]処理システムは、プロセッサ機能を提供する１つまたは複数のマイクロプロセッサ及び機械読取可能な媒体の少なくとも一部分を提供する外部メモリを有し、全てが外部バスアーキテクチャを通して他のサポート回路とともにリンクされている、汎用処理システムとして構成され得る。代替的には、処理システムは、本開示全体を通して説明された様々な機能を実行することができる、単一のチップに一体化された、プロセッサ、バスインターフェース、ユーザインターフェース（アクセス端末の場合）、サポート回路、及び機械読取可能な媒体の少なくとも一部を有するＡＳＩＣ（特定用途向け集積回路）を用いて、または、１つまたは複数のＦＰＧＡ（フィールドプログラマブルゲートアレイ）、ＰＬＤ（プログラマブル論理デバイス）、コントローラ、ステートマシン、ゲート論理、ディスクリートハードウェアコンポーネント、または、任意の他の適切な回路、または、回路の任意の組み合わせを用いて、実施され得る。当業者は、特定の用途及びシステム全体に課された全体的な設計の制約に依存して、処理システムについて説明された機能をどのように実施することが最善かを認識するだろう。
【０１０５】
[0117]機械読取可能な媒体は、多くのソフトウェアモジュールを備え得る。ソフトウェアモジュールは、プロセッサ等の装置によって実行されるとき、処理システムに様々な機能を行わせる命令を含む。ソフトウェアモジュールは、送信モジュール及び受信モジュールを含み得る。各ソフトウェアモジュールは、単一の記憶デバイスに存在することも、複数の記憶デバイスにわたって分散されることもできる。例として、ソフトウェアモジュールは、トリガイベントが生じたときにハードドライブからＲＡＭにロードされ得る。ソフトウェアモジュールの実行中、プロセッサは、アクセススピードを上げるために、命令のうちのいくつかをキャッシュにロードし得る。１つまたは複数のキャッシュラインが、プロセッサによる実行のために、汎用レジスタファイルにロードされ得る。下記においてソフトウェアモジュールの機能について言及するとき、そのような機能は、そのソフトウェアモジュールから命令を実行すると、プロセッサによって実施されるということが理解されるであろう。
【０１０６】
[0118]ソフトウェアにおいて実施される場合、機能は、コンピュータ読取可能な媒体上で１つまたは複数の命令またはコードとして、記憶または送信され得る。コンピュータ読取可能な媒体は、一方の場所からもう一方の場所へのコンピュータプログラムの転送を容易にする任意の媒体を含む通信媒体とコンピュータ記憶媒体との両方を含む。記憶媒体は、コンピュータによってアクセスされることができる任意の利用可能な媒体であり得る。限定ではなく例として、そのようなコンピュータ読取可能な媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または、命令もしくはデータ構造の形態で所望のプログラムコードを搬送もしくは記憶するために使用されることができ、及びコンピュータによってアクセスされることができる、任意の他の媒体を備えることができる。また、任意の接続は、厳密にはコンピュータ読取可能な媒体と呼ばれる。例えば、ソフトウェアが、同軸ケーブル、光ファイバーケーブル、ツイストペア、デジタル加入者回線（ＤＳＬ）、または赤外線（ＩＲ）、無線、及びマイクロ波のようなワイヤレス技術を使用して、ウェブサイト、サーバ、または他のリモートソースから送信される場合、同軸ケーブル、光ファイバーケーブル、ツイストペア、ＤＳＬ、または赤外線、無線、及びマイクロ波のようなワイヤレス技術は、媒体の定義に含まれる。ディスク（disk）及びディスク（disc）は、ここで使用される場合、コンパクトディスク（ＣＤ）（disc）、レーザーディスク（登録商標）（disc）、光ディスク（disc）、デジタル多用途ディスク（ＤＶＤ）（disc）、フロッピー（登録商標）ディスク（disk）及びＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。従って、いくつかの態様では、コンピュータ読取可能な媒体は、非一時的なコンピュータ読取可能な媒体（例えば、有形の媒体）を備え得る。加えて、他の態様では、コンピュータ読取可能な媒体は、一時的なコンピュータ読取可能な媒体（例えば、信号）を備え得る。上記の組み合わせもまた、コンピュータ読取可能な媒体の範囲内に含まれるべきである。
【０１０７】
[0119]従って、ある態様は、ここに提示された動作を実行するためのコンピュータプログラム製品を備え得る。例えば、そのようなコンピュータプログラム製品は、命令をそこに記憶した（及び／または符号化した）コンピュータ読み取り可能な媒体を備え得、命令は、ここに説明された動作を行うように、１つまたは複数のプロセッサによって実行可能である。ある態様では、コンピュータプログラム製品は、パッケージ材料を含み得る
【０１０８】
[0120]さらに、ここに説明された方法及び技法を実行するためのモジュール及び／または他の適切な手段が、ダウンロードされ得ること、及び／または、そうでなければ、ユーザ端末及び／または基地局によって、適用可能に得られ得ることが理解されるべきである。例えば、そのようなデバイスは、ここで説明された方法を実行するための手段の転送を容易にするためにサーバに結合されることができる。代替的には、ここで説明された様々な方法は、デバイスに記憶手段を結合または提供する際にユーザ端末及び／または基地局が様々な方法を取得することができるように、記憶手段（例えば、ＲＡＭ、ＲＯＭ、コンパクトディスク（ＣＤ）またはフロッピーディスクのような物理記憶媒体、等）を介して提供されることができる。さらに、ここで説明された方法及び技法をデバイスに提供するための任意の他の適切な技法が、利用され得る。
【０１０９】
[0121]特許請求の範囲は、上記に例示されたまさにその構成及びコンポーネントに制限されないことが理解されるべきである。様々な修正、変更、及び変形は、特許請求の範囲から逸脱することなしに上述された方法及び装置の配置、動作及び詳細においてなされ得る。
【図１】
2018506202.tif 000003
【図２】
2018506202.tif 000004
【図３】
2018506202.tif 000005
【図４】
2018506202.tif 000006
【図５】
2018506202.tif 000007
【図６】
2018506202.tif 000008
【図７】
2018506202.tif 000009
【図８】
2018506202.tif 000010
【図８Ａ】
2018506202.tif 000011
【図９】
2018506202.tif 000012
【図９Ａ】
2018506202.tif 000013
【図１０】
2018506202.tif 000014
【図１０Ａ】
2018506202.tif 000015
【手続補正書】
【提出日】平成29年8月29日(2017.8.29)
【手続補正１】
【補正対象書類名】特許請求の範囲
【補正対象項目名】全文
【補正方法】変更
【補正の内容】
【特許請求の範囲】
【請求項１】
第１の装置によるワイヤレス通信のための方法であって、
第２の装置と通信するための少なくとも１つの制約を決定することと、
応答を請求するフレームを生成することと、
前記第２の装置への送信のための前記フレームを出力することとを備え、ここで、前記フレームの少なくとも最後のシンボルは、決定された期間内に前記第２の装置が前記応答を送信することを可能にする前記少なくとも１つの制約によって決定された仕方で送信され、前記少なくとも１つの制約は、レート制限を備え、前記フレームを生成することは、
前記フレームが前記レート制限より大きいレートで送信される場合、前記少なくとも前記最後のシンボルにおいてパディングを使用することと、
前記フレームのヘッダにおいて、前記少なくとも前記最後のシンボルにおける前記パディングの存在または持続時間のうちの少なくとも１つを示すこととを備える、方法。
【請求項２】
前記決定された期間は、ショートインターフレーム間隔（ＳＩＦＳ）を備える、請求項１に記載の方法。
【請求項３】
前記少なくとも１つの制約を決定することは、前記第２の装置から前記少なくとも１つの制約のインジケーションを受信することを備える、請求項１に記載の方法。
【請求項４】
前記フレームの前記少なくとも前記最後のシンボルは、前記レート制限より小さいまたは等しいレートで送信される、請求項１に記載の方法。
【請求項５】
前記少なくとも前記最後のシンボルの変調及びコーディングスキーム（ＭＣＳ）は、
前記フレームのデータ部分のＭＣＳが前記レート制限より小さいデータレートに対応する場合、前記データ部分の前記ＭＣＳに、または、
前記データ部分の前記ＭＣＳが前記レート制限より大きいまたは等しいデータレートに対応する場合、前記レート制限に対応するＭＣＳに
等しくなるように設定される、請求項４に記載の方法。
【請求項６】
前記レート制限は、
物理レイヤ（ＰＨＹ）レート、または、
変調及びコーディングスキーム（ＭＣＳ）、帯域幅、コーディングレート、空間ストリームの数、または、それらの組み合わせ
として表される、請求項１に記載の方法。
【請求項７】
前記レート制限は、前記決定された期間内に前記第２の装置が復調及び処理することができるバイト数に基づく、請求項１に記載の方法。
【請求項８】
前記フレームの前記少なくとも前記最後のシンボルは、前記レート制限より大きいレートで送信され、ここで、
前記第２の装置が前記最後のシンボルにおける前記応答を生成するのに必要なバイト数は、前記決定された期間内に前記第２の装置が復調及び処理することができる前記バイト数より少ないもしくは等しい、または、
前記第２の装置が前記応答を生成するのに必要な情報は、前記決定された期間内に前記第２の装置が復調及び処理することができる前記バイト数より少ないまたは等しいバイト数を有する前記最後のシンボルの早い部分に制限される、請求項７に記載の方法。
【請求項９】
ワイヤレス通信のための第１の装置であって、
メモリと、
第２の装置と通信するための少なくとも１つの制約を決定し、
応答を請求するフレームを生成し、
前記第２の装置への送信のための前記フレームを出力するように構成された、及び前記メモリに結合された処理システムを備え、ここで、前記フレームの少なくとも最後のシンボルは、決定された期間内に前記第２の装置が前記応答を送信することを可能にする前記少なくとも１つの制約によって決定された仕方で送信され、前記少なくとも１つの制約は、レート制限を備え、前記処理システムは、
前記フレームが前記レート制限より大きいレートで送信される場合、前記少なくとも前記最後のシンボルにおいてパディングを使用し、
前記フレームのヘッダにおいて、前記少なくとも前記最後のシンボルにおける前記パディングの存在または持続時間のうちの少なくとも１つを示すように構成されることによって前記フレームを生成するように構成される、第１の装置。
【請求項１０】
前記処理システムは、前記第２の装置から前記少なくとも１つの制約のインジケーションを受信するように構成されることによって、前記少なくとも１つの制約を決定するように構成される、請求項９に記載の第１の装置。
【請求項１１】
前記フレームの前記少なくとも前記最後のシンボルは、前記レート制限より小さいまたは等しいレートで送信され、前記少なくとも前記最後のシンボルの変調及びコーディングスキーム（ＭＣＳ）は、
前記フレームのデータ部分のＭＣＳが前記レート制限より小さいデータレートに対応する場合、前記データ部分の前記ＭＣＳに、または、
前記データ部分の前記ＭＣＳが前記レート制限より大きい、または等しいデータレートに対応する場合、前記レート制限に対応するＭＣＳに
等しくなるように設定される、請求項９に記載の第１の装置。
【請求項１２】
前記レート制限は、
物理レイヤ（ＰＨＹ）レート、または、
変調及びコーディングスキーム（ＭＣＳ）、帯域幅、コーディングレート、空間ストリームの数、または、それらの組み合わせ
として表される、請求項９に記載の第１の装置。
【請求項１３】
前記レート制限は、前記決定された期間内に前記第２の装置が復調及び処理することができるバイト数に基づき、前記フレームの前記少なくとも前記最後のシンボルは、前記レート制限より大きいレートで送信され、
前記第２の装置が前記最後のシンボルにおいて前記応答を生成するのに必要なバイト数は、前記決定された期間内に前記第２の装置が復調及び処理することができるバイト数より少ないもしくは等しい、または、
前記第２の装置が前記応答を生成するのに必要な情報は、前記決定された期間内に前記第２の装置が復調及び処理することができる前記バイト数より少ないまたは等しいバイト数を有する前記最後のシンボルの早い部分に制限される、請求項９に記載の第１の装置。
【請求項１４】
第１の装置によるワイヤレス通信のための方法であって、
決定された期間内に応答を請求するフレームを生成することと、ここで、前記フレームは、
１つまたは複数のシンボルを有する第１の部分と、
前記フレームにおいて前記第１の部分の後に位置付けられ、複数のシンボルを有する第２の部分とを備え、
前記第２の部分における前記複数のシンボルについてのデータレートより大きくなるように、前記第１の部分における前記１つまたは複数のシンボルについてのデータレートを設定することと、
第２の装置への送信のための前記フレームを出力することと
を備え、ここで、前記フレームを生成することは、前記フレームのヘッダにおいて、前記第２の部分における前記複数のシンボルの数を示すことを備える方法。
【請求項１５】
前記第２の部分は、前記フレームの最後の部分である、請求項１４に記載の方法。
【請求項１６】
前記第１の部分における前記１つまたは複数のシンボルについての前記データレートは、前記第２の部分における前記複数のシンボルについての前記データレートより少なくとも４倍大きい、請求項１４に記載の方法。
【請求項１７】
前記決定された期間は、ショートインターフレーム間隔（ＳＩＦＳ）を備える、請求項１４に記載の方法。
【請求項１８】
前記第２の部分は、前記第２の装置が前記応答を生成するのに必要な情報の少なくとも一部を備える、請求項１４に記載の方法。
【請求項１９】
ワイヤレス通信のための第１の装置であって、
メモリと
決定された期間内に応答を請求するフレームを生成し、ここで、前記フレームは、
１つまたは複数のシンボルを有する第１の部分と、
前記フレームにおいて前記第１の部分の後に位置付けられ、複数のシンボルを有する第２の部分とを備え、
前記第２の部分における前記複数のシンボルについてのデータレートより大きくなるように、前記第１の部分における前記１つまたは複数のシンボルについてのデータレートを設定し、
第２の装置への送信のための前記フレームを出力するように構成された、及び前記メモリに結合された処理システムを備え、ここで、前記処理システムは、前記フレームのヘッダにおいて、前記第２の部分における前記複数のシンボルの数を示すように構成されることによって前記フレームを生成するように構成される、第１の装置。
【請求項２０】
前記第２の部分は、前記フレームの最後の部分である、請求項１９に記載の第１の装置。
【請求項２１】
前記第１の部分における前記１つまたは複数のシンボルについての前記データレートは、前記第２の部分における前記複数のシンボルについての前記データレートより少なくとも４倍大きい、請求項１９に記載の第１の装置。
【請求項２２】
前記決定された期間は、ショートインターフレーム間隔（ＳＩＦＳ）を備える、請求項１９に記載の第１の装置。
【請求項２３】
前記第２の部分は、前記第２の装置が前記応答を生成するのに必要な情報の少なくとも一部を備える、請求項１９に記載の第１の装置。
【手続補正２】
【補正対象書類名】明細書
【補正対象項目名】０１０９
【補正方法】変更
【補正の内容】
【０１０９】
[0121]特許請求の範囲は、上記に例示されたまさにその構成及びコンポーネントに制限されないことが理解されるべきである。様々な修正、変更、及び変形は、特許請求の範囲から逸脱することなしに上述された方法及び装置の配置、動作及び詳細においてなされ得る。
以下に本願の出願当初の特許請求の範囲に記載された発明を付記する。
［Ｃ１］
第１の装置によるワイヤレス通信のための方法であって、
第２の装置と通信するための少なくとも１つの制約を決定することと、
応答を請求するフレームを生成することと、
前記第２の装置への送信のための前記フレームを出力することとを備え、ここで、前記フレームの少なくとも最後のシンボルは、決定された期間内に前記第２の装置が前記応答を送信することを可能にする前記少なくとも１つの制約によって決定された仕方で送信される、方法。
［Ｃ２］
前記決定された期間は、ショートインターフレーム間隔（ＳＩＦＳ）を備える、Ｃ１に記載の方法。
［Ｃ３］
前記少なくとも１つの制約を決定することは、前記第２の装置から前記少なくとも１つの制約のインジケーションを受信することを備える、Ｃ１に記載の方法。
［Ｃ４］
前記少なくとも１つの制約は、レート制限を備える、Ｃ１に記載の方法。
［Ｃ５］
前記フレームは、前記レート制限より小さいまたは等しいレートで送信される、Ｃ４に記載の方法。
［Ｃ６］
前記フレームを生成することは、
前記フレームが前記レート制限より大きいレートで送信される場合、前記少なくとも前記最後のシンボルにおいてパディングを使用することと、
前記フレームのヘッダにおいて、前記少なくとも前記最後のシンボルにおける前記パディングの存在または持続時間のうちの少なくとも１つを示すこととを備える、Ｃ４に記載の方法。
［Ｃ７］
前記フレームの前記少なくとも前記最後のシンボルは、前記レート制限より小さいまたは等しいレートで送信される、Ｃ４に記載の方法。
［Ｃ８］
前記少なくとも前記最後のシンボルの変調及びコーディングスキーム（ＭＣＳ）は、
前記フレームのデータ部分のＭＣＳが前記レート制限より小さいデータレートに対応する場合、前記データ部分の前記ＭＣＳに、または、
前記データ部分の前記ＭＣＳが前記レート制限より大きいまたは等しいデータレートに対応する場合、前記レート制限に対応するＭＣＳに
等しくなるように設定される、Ｃ７に記載の方法。
［Ｃ９］
前記レート制限は、
物理レイヤ（ＰＨＹ）レート、または、
変調及びコーディングスキーム（ＭＣＳ）、帯域幅、コーディングレート、空間ストリームの数、または、それらの組み合わせ
として表される、Ｃ４に記載の方法。
［Ｃ１０］
前記レート制限は、前記決定された期間内に前記第２の装置が復調及び処理することができるバイト数に基づく、Ｃ４に記載の方法。
［Ｃ１１］
前記フレームの前記少なくとも前記最後のシンボルは、前記レート制限より大きいレートで送信され、ここで、
前記第２の装置が前記最後のシンボルにおける前記応答を生成するのに必要なバイト数は、前記決定された期間内に前記第２の装置が復調及び処理することができる前記バイト数より少ないもしくは等しい、または、
前記第２の装置が前記応答を生成するのに必要な情報は、前記決定された期間内に前記第２の装置が復調及び処理することができる前記バイト数より少ないまたは等しいバイト数を有する前記最後のシンボルの早い部分に制限される、Ｃ１０に記載の方法。
［Ｃ１２］
ワイヤレス通信のための第１の装置であって、
第２の装置と通信するための少なくとも１つの制約を決定し、
応答を請求するフレームを生成し、
前記第２の装置への送信のための前記フレームを出力するように構成された処理システムを備え、ここで、前記フレームの少なくとも最後のシンボルは、決定された期間内に前記第２の装置が前記応答を送信することを可能にするために、前記少なくとも１つの制約によって決定された仕方で送信される、第１の装置。
［Ｃ１３］
前記処理システムは、前記第２の装置から前記少なくとも１つの制約のインジケーションを受信することによって、前記少なくとも１つの制約を決定するように構成される、Ｃ１２に記載の第１の装置。
［Ｃ１４］
前記少なくとも１つの制約は、レート制限を備える、Ｃ１２に記載の第１の装置。
［Ｃ１５］
前記処理システムは、
前記フレームが前記レート制限より大きいレートで送信される場合、前記少なくとも前記最後のシンボルにおいてパディングを使用することと、
前記フレームのヘッダにおいて、前記少なくとも前記最後のシンボルにおける前記パディングの存在または持続時間のうちの少なくとも１つを示すこととによって、前記フレームを生成するように構成される、Ｃ１４に記載の第１の装置。
［Ｃ１６］
前記フレームの前記少なくとも前記最後のシンボルは、前記レート制限より小さいまたは等しいレートで送信され、前記少なくとも前記最後のシンボルの変調及びコーディングスキーム（ＭＣＳ）は、
前記フレームのデータ部分のＭＣＳが前記レート制限より小さいデータレートに対応する場合、前記データ部分の前記ＭＣＳに、または、
前記データ部分の前記ＭＣＳが前記レート制限より大きい、または等しいデータレートに対応する場合、前記レート制限に対応するＭＣＳに
等しくなるように設定される、Ｃ１４に記載の第１の装置。
［Ｃ１７］
前記レート制限は、
物理レイヤ（ＰＨＹ）レート、または、
変調及びコーディングスキーム（ＭＣＳ）、帯域幅、コーディングレート、空間ストリームの数、または、それらの組み合わせ
として表される、Ｃ１４に記載の第１の装置。
［Ｃ１８］
前記レート制限は、前記決定された期間内に前記第２の装置が復調及び処理することができるバイト数に基づき、前記フレームの前記少なくとも前記最後のシンボルは、前記レート制限より大きいレートで送信され、
前記第２の装置が前記最後のシンボルにおいて前記応答を生成するのに必要なバイト数は、前記決定された期間内に前記第２の装置が復調及び処理することができるバイト数より少ないもしくは等しい、または、
前記第２の装置が前記応答を生成するのに必要な情報は、前記決定された期間内に前記第２の装置が復調及び処理することができる前記バイト数より少ないまたは等しいバイト数を有する前記最後のシンボルの早い部分に制限される、Ｃ１４に記載の第１の装置。
［Ｃ１９］
第１の装置によるワイヤレス通信のための方法であって、
決定された期間内に応答を請求するフレームを生成することと、ここで、前記フレームは、
１つまたは複数のシンボルを有する第１の部分と、
前記フレームにおいて前記第１の部分の後に位置付けられ、複数のシンボルを有する第２の部分とを備え、
前記第２の部分における前記複数のシンボルについてのデータレートより大きくなるように、前記第１の部分における前記１つまたは複数のシンボルについてのデータレートを設定することと、
第２の装置への送信のための前記フレームを出力することと
を備える方法。
［Ｃ２０］
前記第２の部分は、前記フレームの最後の部分である、Ｃ１９に記載の方法。
［Ｃ２１］
前記第１の部分における前記１つまたは複数のシンボルについての前記データレートは、前記第２の部分における前記複数のシンボルについての前記データレートより少なくとも４倍大きい、Ｃ１９に記載の方法。
［Ｃ２２］
前記決定された期間は、ショートインターフレーム間隔（ＳＩＦＳ）を備える、Ｃ１９に記載の方法。
［Ｃ２３］
前記フレームを生成することは、前記フレームのヘッダにおいて、前記第２の部分における前記複数のシンボルの存在または数のうちの少なくとも１つを示すことを備える、Ｃ１９に記載の方法。
［Ｃ２４］
前記第２の部分は、前記第２の装置が前記応答を生成するのに必要な情報の少なくとも一部を備える、Ｃ１９に記載の方法。
［Ｃ２５］
ワイヤレス通信のための第１の装置であって、
決定された期間内に応答を請求するフレームを生成し、ここで、前記フレームは、
１つまたは複数のシンボルを有する第１の部分と、
前記フレームにおいて前記第１の部分の後に位置付けられ、複数のシンボルを有する第２の部分とを備え、
前記第２の部分における前記複数のシンボルについてのデータレートより大きくなるように、前記第１の部分における前記１つまたは複数のシンボルについてのデータレートを設定し、
第２の装置への送信のための前記フレームを出力するように構成された処理システムを備える、第１の装置。
［Ｃ２６］
前記第２の部分は、前記フレームの最後の部分である、Ｃ２５に記載の第１の装置。
［Ｃ２７］
前記第１の部分における前記１つまたは複数のシンボルについての前記データレートは、前記第２の部分における前記複数のシンボルについての前記データレートより少なくとも４倍大きい、Ｃ２５に記載の第１の装置。
［Ｃ２８］
前記決定された期間は、ショートインターフレーム間隔（ＳＩＦＳ）を備える、Ｃ２５に記載の第１の装置。
［Ｃ２９］
前記処理システムは、前記フレームのヘッダにおいて、前記第２の部分における前記複数のシンボルの存在または数のうちの少なくとも１つを示すことによって前記フレームを生成するように構成される、Ｃ２５に記載の第１の装置。
［Ｃ３０］
前記第２の部分は、前記第２の装置が前記応答を生成するのに必要な情報の少なくとも一部を備える、Ｃ２５に記載の第１の装置。
【国際調査報告】
2018506202.tif 000016
2018506202.tif 000017
2018506202.tif 000018